(57)【特許請求の範囲】
【請求項１】
開口枠の竪枠に横軸で回動可能に支持された障子と、
竪枠に沿って上下動自在に設けられたたて・連動桿と、
を有し、たて・連動桿から障子までの駆動伝達部材が、
たて・連動桿が不動のまま障子が自然風力で開度を変化する第１の位置と、第１の位置から一方向に移動して障子を閉じた第２の位置と、第１の位置から他方向に移動して障子を全開した第３の位置をとることができる自然風力換気窓において、
障子の下框に設けられた仮ロックピンと、
開口枠側に設けられ第１の位置において障子がほぼ閉った際に仮ロックピンと係合して障子の開放を制止する仮ロックアームと、
を有することを特徴とする自然風力換気窓。
【請求項２】
開口枠の竪枠に横軸で回動可能に支持された障子と、
竪枠に沿って上下動自在に設けられたたて・連動桿と、
を有し、たて・連動桿から障子までの駆動伝達部材が、
たて・連動桿が不動のまま障子が自然風力で開度を変化する第１の位置と、第１の位置から一方向に移動して障子を閉じた第２の位置と、第１の位置から他方向に移動して障子を全開した第３の位置をとることができる自然風力換気窓において、
障子の下框に設けられた仮ロックピンと、
開口枠側に設けられ第１の位置において障子がほぼ閉った際に仮ロックピンと係合して障子の開放を制止する仮ロックアームと、
第１の位置において障子がほぼ閉る際に仮ロックアームと係合して仮ロックアームの運動を制御すると共に第２の位置において仮ロックアームを非作動とする仮ロック制御レバーと、
第２の位置から障子を開く際に仮ロック制御レバーに作用して仮ロックアームを仮ロック作用可能に復元する部材であって障子の下框に設けられた仮ロック解除部材と、
を備えた仮ロック装置を有することを特徴とする自然風力換気窓。
【請求項３】
障子が閉まる際に障子により押される先端を有し開口枠に枢着され外部側に向って付勢されている緩衝レバーを備えた緩衝装置を有することを特徴とする請求項１又は２に記載の自然風力換気窓。
【請求項４】
障子が閉る際に障子により押される先端を有し開口枠に枢着され外部側に向って付勢されている緩衝レバーと、
たて・連動桿に設けられ第1の位置から障子を閉じた第２の位置に移る際に障子が緩衝レバーを押す前から又は途中から緩衝レバーに作用して緩衝レバーを障子から離れた位置に移動させる直動カムと、
を備えた緩衝装置を有することを特徴とする請求項１又は２に記載の自然風力換気窓。
【請求項５】
緩衝装置は障子が緩衝レバーを押す途中において仮ロックピンと仮ロックアームが係合することを特徴とする請求項３又は４に記載の自然風力換気窓。
【請求項６】
開口枠の下枠に沿って移動自在に設けられ上面にストッパと掛金に作動するロックピン及び仮ロック解除ピンを有する横・連動桿と、
開口枠の下枠に固定して設けられ前記ストッパと係合して横・連動桿の移動を制止する位置と横・連動桿の移動を自由とする解除位置とを取り、障子の下框に設けられたカム部により解除位置とされるトリガーと、
障子の下框に設けられ障子が閉まった際に横・連動桿の移動により掛金と解除可能に係合する受金とトリガーを解除するカム部と、
たて・連動桿が第１の位置から第２の位置となる際に横・連動桿が移動して仮ロック解除ピンが仮ロックアームに作用して仮ロックを解除位置となるようたて・連動桿と横・連動桿を関連動作させる換気用操作装置と、
を有することを特徴とする請求項１から５の何れか１つに記載の自然風力換気窓。
【請求項７】
たて・連動桿が第３の位置を取った際に障子の閉方向の動きを制止する障子の開放維持装置を有することを特徴とする請求項１から６の何れか１つに記載の自然風力換気窓。
【請求項８】
障子を第１又は第２の位置から第３の位置へ移動させると共に第３の位置を維持する行程の変化に対してほぼ推力が一定の圧力シリンダを有することを特徴とする請求項７に記載の自然風力換気窓。
【請求項９】
圧力シリンダはガスダンパであることを特徴とする請求項８に記載の自然風力換気窓。
【請求項１０】
換気用操作装置を有し、換気用操作装置は換気用操作部材の巻掛伝動媒体を捲回保持するドラムと、該ドラムから導出された巻掛伝動媒体と、前記巻掛伝動媒体を巻き掛けられた滑車であって、たて・連動桿に設けられた滑車と、前記滑車の巻掛伝動媒体の導入側及び導出側の巻掛伝動媒体が巻き掛けられた滑車群と、滑車群から導出された巻掛伝動媒体に駆動される横・連動桿と、たて・連動桿と横・連動桿間に張設される巻掛伝動媒体が張力を生ずるように夫々連動桿を付勢するように夫々の連動桿に夫々係合した弾性部材とを有することを特徴とする請求項１から９の何れか１つに記載の自然風力換気窓。
【請求項１１】
たて・連動桿に設けられた滑車はたて・連動桿の下部に位置しこの滑車に巻き掛けられた巻掛伝動媒体は滑車への導入側、導出側が下方に向って張設されており、巻掛伝動媒体の張力が滑車に加える力はほぼたて・連動桿に沿う方向であることを特徴とする請求項１０に記載の自然風力換気窓。
【請求項１２】
開口枠の竪枠に横軸で回動可能に支持された障子と、
竪枠に沿って上下動自在に設けられたたて・連動桿と、
を有し、たて・連動桿から障子までの駆動伝達部材が、
たて・連動桿が不動のまま障子が自然風力で開度を変化する第１の位置と、第１の位置から一方向に移動して障子を閉じた第２の位置をとることができる自然風力換気窓において、
障子の下框に設けられた仮ロックピンと、
開口枠側に設けられ第１の位置において障子がほぼ閉った際に仮ロックピンと係合して障子の開放を制止する仮ロックアームと、
を有することを特徴とする自然風力換気窓。
【発明の詳細な説明】
【技術分野】
【０００１】
本発明は排煙可能な自然風力換気窓に関する。
【背景技術】
【０００２】
従来、外開き窓であって自然風力（強風でなく通常の風により生ずる風力）で開度が変化する自然風力換気窓が種々提案されている。この窓によれば通常の風によっては適当な換気が行われる。特許文献１には横軸回転窓において上框の室内側に釣合おもりを設けて横軸を中心とするモーメントにより障子を傾けて内外気の条件により、窓を開いて開度を変え乍自然換気を行うことが提案されている。特許文献２にはメインアーム、サブアーム、障子、開口枠をリンクとする四節連鎖機構として障子の重量でもって換気可能に開く自然風力換気窓が開示されている。
【０００３】
特許文献１に記載の発明では自然風力で揺動する障子を閉めて施錠をすることの開示がない。また、障子を大きく開いた位置で開放状態を維持することについて開示がない。特許文献２に記載の発明によれば釣合おもりがないので慣性モーメントが小さく自然風力に対する応答がよく、閉時に騒音が小さい。しかし、構成上障子を大きく開けない。  
【０００４】
そこで、本出願人は障子を自然風力で開閉する位置と、障子を閉めた位置と、障子を排煙のため大きく開く位置と、を選択的に得られる障子の支持構成を備えた自然風力換気窓を提供することを目的とし、また、障子を排煙のため大きく開くことができる部材を有する排煙窓を提供することを目的として、先に提案を行っている（特願２０１１−２７２０５３）。
本発明は先発明の発明が解決しようとする課題を解決すると共に障子の開放維持装置の改良を計ることを目的とする。
【先行技術文献】
【特許文献】
【０００５】
【特許文献１】特開平９−１８４３５３号公報
【特許文献２】特開２００３−２４７３７１号公報
【非特許文献】
【０００６】
なし
【発明の概要】
【発明が解決しようとする課題】
【０００７】
本出願人の先の提案（先発明という）によれば、竪枠に沿って上下動自在に設けられたたて・連動桿と、障子間にたて・連動桿が不動のまま障子が自然風力で開度を変化する第１の位置と、第１の位置から一方向に移動して障子を閉じた第２の位置と、第１の位置から他方向に移動して障子を全開した第３の位置をとることができる駆動伝達部材を備えている。
【０００８】
横軸回転窓において自然風力の消長で障子は開閉するので風が弱いときは大きく障子が開き、風が強いときは障子は閉る方向に移動する。処が風が強くなった状態で風力の消長が大きくなる条件のときには障子は勢いよく閉じることを繰り返す。従来、このようなときには、手動で障子を閉めて施錠していた。
【０００９】
本発明は障子が勢いよく閉じるような状態においては施錠はしないが障子が強風で閉った際には開かないように保持できることのできる装置を備えた自然風力換気窓を提供することを目的とする。
【００１０】
先発明はたて・連動桿の上下動で障子の閉と開、自然風力による障子の開閉作用を行う作用効果を奏する。しかし、これに対してたて・連動桿及び障子の締りを行う操作部材が手動である際、例えばハンドルを手回しするような際には障子が閉まりきる直前から次第にハンドルを回す力が重くなるので、締め切った状態において障子と開口枠に設けてある受金と掛金の係合がどうなっているか分かり難い場合がある。
【００１１】
また、排煙のため障子を大きく開いた場合の障子の閉方向の動きを制止する障子の開放維持装置の、外力による障子を閉めようと力に対する抗力を大きくする必要が判明した。
本発明は、先発明の発明が解決しようとする課題を解決すると共に上述した課題を解決できる自然風力換気窓を提供することを目的とする。
【課題を解決するための手段】
【００１２】
本出願に係る第１の発明は、開口枠の竪枠に横軸で回動可能に支持された障子と、竪枠に沿って上下動自在に設けられたたて・連動桿と、を有し、たて・連動桿から障子までの駆動伝達部材が、たて・連動桿が不動のまま障子が自然風力で開度を変化する第１の位置と、第１の位置から一方向に移動して障子を閉じた第２の位置と、第１の位置から他方向に移動して障子を全開した第３の位置をとることができる自然風力換気窓において、  障子の下框に設けられた仮ロックピンと、開口枠側に設けられ第１の位置において障子がほぼ閉った際に仮ロックピンと係合して障子の開放を制止する仮ロックアームと、を有することを特徴とする自然風力換気窓である。
【００１３】
本出願に係る第２の発明は、開口枠の竪枠に横軸で回動可能に支持された障子と、竪枠に沿って上下動自在に設けられたたて・連動桿と、を有し、たて・連動桿から障子までの駆動伝達部材が、たて・連動桿が不動のまま障子が自然風力で開度を変化する第１の位置と、第１の位置から一方向に移動して障子を閉じた第２の位置と、第１の位置から他方向に移動して障子を全開した第３の位置をとることができる自然風力換気窓において、障子の下框に設けられた仮ロックピンと、開口枠側に設けられ第１の位置において障子がほぼ閉った際に仮ロックピンと係合して障子の開放を制止する仮ロックアームと、第１の位置において障子がほぼ閉る際に仮ロックアームと係合して仮ロックアームの運動を制御すると共に第２の位置において仮ロックアームを非作動とする仮ロック制御レバーと、第２の位置から障子を開く際に仮ロック制御レバーに作用して仮ロックアームを仮ロック作用可能に復元する部材であって障子の下框に設けられた仮ロック解除部材と、を備えた仮ロック装置を有することを特徴とする自然風力換気窓である。
【００１４】
本出願に係る第３の発明は、第１の発明又は第２の発明に記載した自然風力換気窓において、障子が閉まる際に障子により押される先端を有し開口枠に枢着され外部側に向って付勢されている緩衝レバーを備えた緩衝装置を有することを特徴とする自然風力換気窓である。
【００１５】
本出願に係る第４の発明は、第１の発明又は第２の発明に記載した自然風力換気窓において、障子が閉る際に障子により押される先端を有し開口枠に枢着され外部側に向って付勢されている緩衝レバーと、たて・連動桿に設けられ第１の位置から障子を閉じた第２の位置に移る際に障子が緩衝レバーを押す前から又は途中から緩衝レバーに作用して緩衝レバーを障子から離れた位置に移動させる直動カムと、を備えた緩衝装置を有することを特徴とする自然風力換気窓である。
【００１６】
本出願に係る第５の発明は、緩衝装置は障子が緩衝レバーを押す途中において仮ロックピンと仮ロックアームが係合することを特徴とする第３の発明又は第４の発明に記載の自然風力換気窓である。
【００１７】
本出願に係る第６の発明は、開口枠の下枠に沿って移動自在に設けられ上面にストッパと掛金に作用するロックピン及び仮ロック解除ピンを有する横・連動桿と、開口枠の下枠に固定して設けられ前記ストッパと係合して横・連動桿の移動を制止する位置と、ストッパから放たれて横・連動桿の移動を自由とする解除位置とを取り、障子の下框に設けられたカム部により解除位置とされるトリガーと、障子の下框に設けられ障子が閉まった際に横・連動桿の移動により掛金と解除可能に係合する受金とトリガーを解除するカム部と、たて・連動桿が第１の位置から第２の位置となる際に、横・連動桿が移動して仮ロック解除ピンが仮ロックアームに作用して仮ロックを解除位置となるようにたて・連動桿と横・連動桿を関連動作させる換気用操作装置と、を有することを特徴とする第１から第５の発明の何れか１つに記載の自然風力換気窓である。
【００１８】
本出願に係る第７の発明は、たて・連動桿が第３の位置を取った際に障子の閉方向の動きを制止する障子の開放維持装置を有することを特徴とする第１から第６の発明の何れか１つに記載の自然風力換気窓である。
【００１９】
本出願に係る第８の発明は、障子を第１又は第２の位置から第３の位置へ移動させると共に第３の位置を維持する行程の変化に対してほぼ推力が一定の圧力シリンダを有することを特徴とする第７の発明に記載の自然風力換気窓である。
本出願に係る第９の発明は、圧力シリンダはガスダンパであることを特徴とする第８の発明に記載の自然風力換気窓である。
【００２０】
本出願に係る第１０の発明は、換気用操作装置を有し、換気用操作装置は換気用操作部材の巻掛伝動媒体を捲回保持するドラムと、該ドラムから導出された巻掛伝動媒体と、前記巻掛伝動媒体を巻き掛けられた滑車であって、たて・連動桿に設けられた滑車と、前記滑車の巻掛伝動媒体の導入側及び導出側の巻掛伝動媒体が巻き掛けられた滑車群と、滑車群から導出された巻掛伝動媒体に駆動される横・連動桿と、たて・連動桿と横・連動桿間に張設される巻掛伝動媒体が張力を生ずるように夫々連動桿を付勢するように夫々の連動桿に夫々係合した弾性部材と、を有し、横・連動桿を付勢する弾性部材はたて・連動桿を付勢する弾性部材よりも弾力が大であることを特徴とする第１から第９の発明の何れか１つに記載の自然風力換気窓である。
【００２１】
本出願に係る第１１の発明は、たて・連動桿に設けられた滑車はたて・連動桿の下部に位置し、この滑車に巻き掛けられた巻掛伝動媒体は滑車への導入側、導出側が下方に向って張設されており、巻掛伝動媒体の張力が滑車に加える力はほぼたて・連動桿に沿う方向であることを特徴とする第１０の発明に記載の自然風力換気窓である。
【００２２】
本出願に係る第１２の発明は、開口枠の竪枠に横軸で回動可能に支持された障子と、竪枠に沿って上下動自在に設けられたたて・連動桿と、を有し、たて・連動桿から障子までの駆動伝達部材が、たて・連動桿が不動のまま障子が自然風力で開度を変化する第１の位置と、第１の位置から一方向に移動して障子を閉じた第２の位置をとることができる自然風力換気窓において、障子の下框に設けられた仮ロックピンと、開口枠側に設けられ第１の位置において障子がほぼ閉った際に仮ロックピンと係合して障子の開放を制止する仮ロックアームと、を有することを特徴とする自然風力換気窓である。
【００２３】
本発明の技術的範囲から外れる別の発明は、開口枠の竪枠に横軸で回動可能に支持され障子と、竪枠に沿って上下動自在に設けられたたて・連動桿と、を有し、たて・連動桿から障子までの駆動伝達部材が、たて・連動桿が移動して障子を全開した位置をとることができることを特徴とする排煙窓である。
【発明の効果】
【００２４】
本発明に係る第１の発明によれば、自然風力での換気状態において風力の消長による障子の閉止のくり返しが自動的になくなる。
【００２５】
本発明に係る第２の発明によれば、自然風力での換気状態において風力の消長による障子の閉止のくり返しが自動的になくなる。仮ロックアームの作動の際に仮ロック制御レバーが仮ロックアームに作用して仮ロックアームの運動を円滑にする。障子が第３の位置となる際には仮ロックアームは非作動位置とされ、障子が第２の位置から開く際には仮ロック解除部材が仮ロック制御レバーを作動させ仮ロック制御レバーは第１の位置における仮ロック作用可能な状態に仮ロックアームを復帰する。
本発明に係る第３の発明によれば、第１の位置において障子が風力で閉まる際は減速され障子が閉まる際の騒音が軽減される。
【００２６】
本発明に係る第４の発明によれば、障子を第１の位置から第２の位置に閉じる際に緩衝装置は作動しなくなるので緩衝装置による障子を引寄せる際の抵抗はなくなる。そして、直動カムが引上げられた第１の位置においては緩衝装置は緩衝作用可能となっているので障子が閉じる際、障子は減速され障子が閉まる際の騒音は軽減される。
【００２７】
本発明に係る第５の発明において、第３の発明を採用すると第１の位置において障子が閉まる際に緩衝装置により減速され仮ロック作用は円滑となり、仮ロック作用に伴う騒音が軽減される。第４の発明を援用すると、障子を閉じる第２の位置とする際緩衝装置は働かないので緩衝作用による障子の抵抗はなくなる一方、障子が第１の位置において閉じる際は緩衝作用が働き、騒音は低減する。
【００２８】
本出願に係る第６の発明によれば、第１の位置において仮ロック状態で障子が閉まっている際に換気用操作装置を作動して仮ロック作動可能なように仮ロックアーム復帰できる。
本出願に係る第７又は第８もしくは第９の発明によれば、障子を第３の位置に維持するのが簡単である。
【００２９】
本出願に係る第１０の発明によれば、たて・連動桿と横・連動桿の連動が円滑である。第３の位置に障子を開く際に巻掛伝動媒体を弛めるだけで障子は開く方向に向う。
本出願に係る第１１の発明によれば、たて・連動桿が巻掛伝動媒体により引かれる際に円滑に移動する。
本出願に係る第１２の発明によれば、自然風力換気窓のみの機能を有するものとすることができる。
前述した別発明によれば、排煙窓のみの機能を有するものとすることができる。
【図面の簡単な説明】
【００３０】
【図１】実施例の横軸回転窓の室内側より見る正面図である。
【図２】横軸回転窓の見込方向の縦断面図である。
【図３】横軸回転窓の水平断面図である。
【図４】横軸回転窓の換気用ユニット、排煙用ユニットを示す室内側より見る正面図である。
【図５】換気用ユニットの下枠側の平面図である。
【図６】換気用ユニットを示し図４の左側の一部拡大図である。
【図７】図６の側面図であって拡大図である。
【図８】軸受装置回りの斜視図である。
【図９】図８を見付方向から見る軸受装置回りの正面図である。
【図１０】図８を見付方向から見る軸受装置回りの正面図である。
【図１１】図７の竪枠回りの拡大平面図である。
【図１２】窓内部から見付方向に見る竪枠の正面図である。
【図１３】ストッパの平面図である。
【図１４】トリガー回りを示す平面図である。
【図１５】トリガー回りを示す平面図である。
【図１６】図１４を見付方向から見る正面図である。
【図１７】トリガーの正面図である。
【図１８】ロック装置の平面図である。
【図１９】図１８の側面図である。
【図２０】仮ロック装置の平面図である。
【図２１】図２０の側面図である。
【図２２】緩衝装置の側面図である。
【図２３】緩衝装置の平面図である。
【図２４】緩衝装置の正面図である。
【図２５】排煙用ユニットの（ａ）は正面図（ｂ）は側面図である。
【図２６】方立回りを示す正面図である。
【図２７】図２６の左側面図である。
【図２８】図２６の右側面図である。
【図２９】図２６のＣ−Ｃ断面図である。
【図３０】図２６のＢ−Ｂ断面図である。
【図３１】操作部材の正面図である。
【図３２】図３０のＡ−Ａ断面図である。
【図３３】図３２の作用を示す正断面図である。
【図３４】図３２の作用を示す正断面図である。
【図３５】（ａ）（ｂ）（ｃ）は仮ロック装置の作用を示す平面図である。
【図３６】（ｄ）（ｅ）（ｆ）は仮ロック装置の作用を示す平面図である。
【図３７】（ｇ）（ｈ）（ｉ）は仮ロック装置の作用を示す平面図である。
【図３８】連窓における横・連動桿回りの平面図である。
【図３９】単窓における横・連動桿回りの平面図である。
【実施例】
【００３１】
以下、本発明の実施例を図面に従って説明する。
（窓の構成）
図１は横軸回転窓の内部側より見る正面図である。開口枠１内に障子２が開口枠１の竪枠６，６と障子２の竪框９，９との間に設けた横軸の軸受装置３，３により回転自在に支持され、障子２は開口枠１に対して開閉可能となっている。
（窓の気密構造）
【００３２】
図２は図１の壁面に直交する方向の平面（見込方向）で切る縦断面図、図３は図１の見込方向の水平断面図である。図３の左側は図１において軸受装置３を除く中間部を示し、右側は図１において軸受装置３を含めて軸受装置３よりも下側を示してある。
図２において図の左側が外部側、同右側が内部側である。図３において図の下側が内部側、上側が外部側である。
【００３３】
開口枠１は上枠５、竪枠６、下枠７が四方組みされている。障子２は上框８、竪框９、下框１１が四方組みされ、これら框材の内周に取り付けたシール材１２等の部材によりガラス１３が気密を保って保持されている。
軸受装置３よりも下方の開口枠１と障子２の気密材は以下のとおりである。
【００３４】
障子２を閉めた状態で下框１１の内側材１１ａは下枠７の外部側を向いて開いた条溝７ａに嵌合している気密パッキン１５に当接している。条溝７ａは下枠７の内側材７ｂの上部に設けてある。障子２を閉めた状態で各竪框９の内側材９ａは竪枠６の外部側を向いて開いた条溝６ａに嵌合している気密パッキン１６に弾力でもって接している。条溝６ａは竪枠６の内側材６ｃの内周側に設けてある。竪框９の外周材には室内側に面する段部９ｂが設けてある。
【００３５】
軸受装置３よりも上方の開口枠１と障子２間の気密材については図略しているが、図２の上枠５と上框８のように竪框９に気密パッキン１５を嵌合したアタッチ等を取り付け、気密パッキン１５を竪枠６に当接させる。
【００３６】
軸受装置３は図３に示すように竪枠６に固定された軸３ｂに竪框９に固定された軸受３ａが回転自在に嵌合している。軸受装置３の構成についての詳細は後述する。軸受装置３の軸線Ｃ３は見付方向の水平線である。見込み方向で見て障子２を支持する軸受装置３の軸線Ｃ３は障子２のみの重心位置よりも室内側に有る。従って、釣合おもり１７（図２参照）がないとすると障子２はその重力で閉じる。外部より建物に向って吹き付ける風により障子２が閉まる力を受けるように軸受装置３は障子２の上下方向の二分位置よりも上方にある。なお、見込方向で見てガイドレール２１は障子２のみの重心位置と軸受装置３の軸線Ｃ３より室外寄りにある。
【００３７】
上框８の内側材８ａ、内周材８ｂに接して釣合おもり１７が固定されている。釣合おもり１７は上框８の横方向の長さよりもわずかに短く全体としては横長で室内側へ突出している。釣合おもり１７は左右両端に設けた室内側に突出するブラケット１７ａが小ねじ１７ｂ，１７ｃ、裏板１７ｄでもって上框８に固定されている。両ブラケット１７ａ，１７ａにわたされた溝形鋼形の横架材１７ｅはボルト、ナット、座金を含む締結部材１８ａでもって該ブラケット１７ａ，１７ａに固定されている。横架材１７ｅの溝内には複数の調節用おもり１９が配設されている。重ねた調節用おもり１９及び横架材１７ｅを貫通する締結部材１８ｂでもって調節用おもり１９は横架材１７ｅに対して取外し可能に固定してある。締結部材１８ｂは座金を含むボルトナットである。
【００３８】
釣合おもり１７により、障子２は小さな角度見付方向の垂直面に対して例えば４５度程度軸受装置３を中心にして傾動した状態で釣合う。即ち、軸受装置３の軸線Ｃ３は障子２にモーメントが生じない上下方向の重心位置よりも上方且つ、障子２の室内寄りに設けてある。そして、釣合おもり１７を障子２の上框８の室内側に設けることにより、上框８が室内側に、下框１１が外部側に位置して所望の角度に傾くように調節用おもり１９は加減される。
【００３９】
無風の状態では障子２は下框１１が外部側に上框８が室内側に来るように傾いて釣合っているが、風が外壁に向って吹き付けると軸線Ｃ３の上下における障子２の表面積の差により、より多くの風力を障子２の下部は受け障子２は軸受装置３を中心にして閉じるように動く。閉じる量は風力の大きさによる。風は強さの消長があるので風力により障子２の開度は変化する。
【００４０】
これによって、一定風速以上の強風時は障子２は自動的に閉まり、風の室内への吹き込みは防止される。無風時は障子２は換気可能な程度に開いているので、建物内外の温度差、他の窓からの通風等により換気される。
【００４１】
竪枠６の内周側には上下方向に配したガイドレール２１が小ねじ２１ａにより固定されている。ガイドレール２１は広幅のＴ溝を有するリップ溝形鋼の形状である。ガイドレール２１は竪枠６の内周に設けた突条６ｂに当接して位置決めされている。ガイドレール２１内には上下方向に移動自在にたて・連動桿２２が嵌合している。たて・連動桿２２は図３を見込方向から見て障子２と竪枠６の間に位置する。
（横軸回転窓の制御装置）
【００４２】
図４は横軸回転窓を室内側から見る正面図である。この実施例は２連窓である。図４において右側の単窓は図略してある。図４に示すように竪枠６と下枠７でなるＬ字の範囲には強風時等に障子の強制閉鎖を行う換気用ユニット１００が配設されている。方立６Ａには障子の強制開放を行う排煙用ユニット２００が配設されている。換気用ユニット１００、排煙用ユニット２００は夫々方立６Ａを中心にして巻掛伝動媒体のワイヤー関連を除いて左右対称である。
【００４３】
換気用ユニット１００を動作させる換気用操作部材１１２、排煙用ユニット２００を動作させる排気用操作部材１１３が設けてある。何れも内部にワイヤー巻取装置を備えており、換気用操作部材１１２は換気用ユニット１００を駆動するワイヤー２４（２４Ａ,２４Ｂ）を巻き取るドラムを備えている。排煙用操作部材１１３は排煙用ユニット２００を駆動するワイヤー２５を巻き取るドラムを備えている。これらのドラムは何れも手動又は電動により駆動される。手動の場合はハンドル又はレバーの操作による。電動の場合は押ボタンの操作による。電動の場合は押ボタンから制御回路を介してドラムを駆動するモータに通電する。換気用操作部材１１２とワイヤー２４，ワイヤー２４に張力を加える弾性部材である引張コイルばね及びワイヤー２４を巻き掛けた滑車（後述）でもって換気用操作装置を構成している。排煙用操作部材１１３とワイヤー２５、ワイヤー２５に張力を加えるガスダンパ（後述）でもって排煙用操作装置を構成している。
【００４４】
図５は換気用ユニット１００の平面図である。図３に示すように二連窓の方立６Ａは左右の窓の竪枠６，６を結合部材６Ａ１で併せてなる。換気用ユニット１００は左側の窓の左側、右側の窓の右側の竪枠６と下枠７に沿って配設されている。排煙用ユニット２００は方立６Ａとなる竪枠６に沿って配設されている。以下図４の左側の窓について説明する。左右の窓は方立６Ａを中心にして構成が対称である。
【００４５】
換気用ユニット１００の構成部材として以下の部材を有する。各竪枠６と竪框９間には軸受装置３及びこれに付帯する障子回転部材が設けてある。既にのべたように各竪枠６には上下方向に移動自在なたて・連動桿２２が設けてある。図４に示すようにたて・連動桿２２の下部には緩衝装置７０、コーナー滑車装置２６が設けられている。下枠７の内部側に沿って横・連動桿２７、トリガー２８、施錠装置としてロックピン部２９及び施錠はしないが自然風力換気中強風により作動する仮ロック装置１３１が設けられている。
【００４６】
排煙用ユニット２００として以下の部材を有する。方立６Ａとなる竪枠６と竪框９間には軸受装置３及びこれに付帯する障子回転部材が設けてある。方立となる各竪枠６には上下方向に移動自在にたて・連動桿２２Ａが設けてある。たて・連動桿２２Ａを上方に向って付勢する圧力シリンダとしてガスダンパ９４が設けてある。尚、ガスダンパ９４に替えてばね（例えば圧縮ばね、引張コイルばね、平角線ばね）を設けてもよい。
（軸受装置３廻り）
【００４７】
図３に示すように軸３ｂは竪枠６に小ねじ３ｃで止められたスタンド３ｄにねじ込まれている。軸３ｂに回転自在に嵌合する軸受３ａは竪框９に固定されている。軸受３ａにはアーム３ａ１が一体に設けてある。アーム３ａ１の先端にはピン軸３ａ２が固定されている。ピン軸３ａ２にはピンローラ３ａ３が回転自在に嵌合している。軸受装置３の軸線Ｃ３は見付方向を向いている。ピン軸３ａ２は円筒形でその中心は軸線Ｃ３と平行である。ピンローラ３ａ３はシフタ３４に遊嵌している。シフタ３４はたて・連動桿２２に小ねじ３４ｄにより固定されている。
ここで、ピン軸３ａ２、ピンローラ３ａ３は駆動部材であるシフタ３４に対して従動子となっている。
このような軸受装置３及びその周りの部材は竪枠６と竪框９の間に設けてある。
上記において軸受３ａ、軸３ｂ、ピン軸３ａ２、ピンローラ３ａ３、シフタ３４は金属例えばステンレス鋼である。
【００４８】
図８は軸受装置３回りを模式的に示す斜視図である。図９、図１０は図８の軸受装置３回りを見付方向から見る正面図である。シフタ３４はたて・連動桿２２に接して固定されたベース３４ａと、ピンローラ３ａ３がゆるく嵌合する溝を間にしてベース３４ａから立設した上ヨーク３４ｂと下ヨーク３４ｃを有する。図８、図９においてたて・連動桿２２が矢印イのように下方へ移動すると、上ヨーク３４ｂはピンローラ３ａ３を押し下げ軸受３ａは矢印ロの方向に釣合いおもり１７により障子２を開こうとする回転力に抗して回転する。軸受３ａに固定されている障子２は上框８が室外側へ移動し、下框１１が室内側に向って移動し障子２を閉鎖させる。
【００４９】
図１０に示すようにたて・連動桿２２が上限位置よりも下方の中間位置まで上昇している際、障子２は既にのべたように例えば無風時垂直方向に対して４５度傾いた状態（障子２と釣合おもり１７が軸受装置３を中心にして釣合った状態）において下ヨーク３４ｃがピンローラ３ａ３と離れている。このとき上ヨーク３４ｂとピンローラ３ａ３はわずかに離れているか接している。従って、図１０の状態においては軸受装置３を中心にして障子２と釣合おもり１７は釣合い自然換気が行われ風力の消長により障子２は開度を小さい方に変える。
上記においてシフタ３４、ピンローラ３ａ３、アーム３ａ１、軸受３ａはたて・連動桿２２から障子２に駆動を伝える駆動伝達部材となっている。
（たて滑車回り）
【００５０】
図１１はたて・連動桿２２を駆動する部材を示す平面図、図１２は図１１の側面図である。図１１、図１２は連窓となっている右側の窓の外側の竪枠側の図である。たて・連動桿２２は一つの窓の左右の竪枠６に関して左右対称に構成されている。方立６Ａ側に設けるたて・連動桿は符号を２２Ａと付すが方立となっていないたて・連動桿２２とは下部の連動桿２２と２２Ａを駆動のための滑車装置（竪枠側符号２６、方立側符号３３）及びたて・連動桿２２，２２Ａを常時付勢している部材（ばね、ガスダンパ）を異にしていることを除くと同一である。
【００５１】
たて・連動桿２２には室内側に向って片持梁状にのびる支板３５が固定されている。図１１に示すように支板３５の根本及びたて・連動桿２２を貫通する小ねじ３５ａがたて・連動桿２２の背面に当接嵌合する裏板２２ａにねじ込まれることにより、たて・連動桿２２と支板３５は固定されている。
【００５２】
図１２に示すように支板３５に固定されたばね掛け３６に下端が引っ掛けられた引張コイルばね（側面は両端を除いて捲回部分を丁度囲む方形で示す。以下、同じように示す図がある）３７の上端はばね掛け３８に引っ掛けられている。図１１に示すようにばね掛け３８は根本にベース３８ａを一体に有する。ベース３８ａ及び竪枠６の周材６ｄを貫通する小ねじ３９は周材６ｄの外周側に接する裏板４１にねじ込まれることによってばね掛け３８は竪枠６に固定されている。
【００５３】
図１３はガイドレール２１の上部を示す。引張コイルばね３７のばね力で上昇したたて・連動桿２２の上端はストッパ２１ｂに衝接して位置が定まる。このとき、後述するように障子２が開く角度は壁面に対して４５度である。ストッパ２１ｂはガイドレール２１の溝内にあり、ガイドレール２１に小ねじ２１ｃでもって固定される。なお、ガイドレール２１の下部、ガイドレール４４（後述）にも図１３と同様のストッパを備えているが図示されない場合がある。
【００５４】
上記構成により、たて・連動桿２２は引張コイルばね３７のばね力で上方に向って付勢されている。たて・連動桿２２は換気用操作部材１１２からの図７のコーナー滑車装置２６を介したワイヤー２４Ａにより、このばね３７のばね力に抗して引き下げられて位置が定まる。
【００５５】
上記によって竪枠６に沿って上下動自在に設けられたたて・連動桿２２と、たて・連動桿２２から障子２までの駆動伝達部材と、を有し、たて・連動桿２２が不動のまま障子２が自然風力で開度を変化する第１の位置と、第１の位置から一方向に移動して障子２を閉じた第２の位置と、第１の位置から他方向に移動して障子２を全開した第３の位置をとることができる遊びを駆動伝達部材が有する自然風力換気窓の軸受装置３の回りの構成について説明した。
（横・連動桿）
【００５６】
図１４、図１５はトリガー回りを示す平面図、図１６は図１４の側面図（見付方向から見て正面図）、図１７はトリガーアセンブリの正面図、図１８は施錠装置のロックピン回りを示す平面図、図１９は図１８の側面図、図２０は仮ロック装置を示す平面図、図２１は図２０の側面図である。
【００５７】
図１４から図２１（図１７を除く）に示すように下枠７の内側材７ｂに沿ってガイドレール４４が配設されている。ガイドレール４４はリップ溝形鋼形で上に向って開口している。ガイドレール４４は内側材７ｂとわずかに間を置いており、例えば、図１９に示すように内側材７ｂに小ねじ４５ａで固定されたブラケット４５に固定されている。ガイドレール４４には移動自在に横・連動桿２７が嵌合している。
【００５８】
横・連動桿２７上面にはロックピン４５ｃ、ストッパ４６、仮ロック解除ピン１５０（図５、図１４、図１５、図１６、図１８、図１９、図２０、図２１参照）が固定されている。ロックピン４５ｃ、仮ロック解除ピン１５０は直立して円筒形である。
【００５９】
図１６に示すようにストッパ４６はストッパ４６、横・連動桿２７を貫通して横・連動桿２７の下面に嵌め込んだ裏板２７ｂにねじ込んだ小ねじ４６ｂによって横・連動桿２７の上面に固定されている。図１５に示すようにストッパ４６の幅は横・連動桿２７の上面の幅よりもわずかに小さく一端４６ｃは半円形である。図５、図６は図４の連窓の左側の窓を示しており、室内側より見て右側より左側に向って仮ロック解除ピン１５０、ロックピン４５ｃ、ストッパ４６の順に配列されている。
【００６０】
図４の一部拡大図の図６、図６の平面図の図５に示すように横・連動桿２７上には、仮ロック装置１３１の右方においてばね掛け４７が設けてある。ばね掛け４７は横・連動桿２７の上面に当接して小ねじ４８により固定されたベース４７ａ上にばね掛けピン４７ｂを立設してある。一端がばね掛けピン４７ｂに引っ掛けられた引張コイルばね４９の他端は図４に示すようにばね掛け５０のばね掛けピン５０ａに引っ掛けられている。図４に示すばね掛け５０はばね掛けピン５０ａを立設しているベース５０ｂが下枠７の内側材７ｂに固定されて室内側へ突出した支持板７ｈに固定される。尚、横・連動桿２７を案内しているガイドレール４４は支持板７ｈと後述の支持板７ｅに固定されている。これによって、横・連動桿２７は図４、図５、図６において引張コイルばね４９のばね力により右方へ向って付勢されている。図５、図６における横・連動桿２７の右行端は、ガイドレール４４に固定した図示されないストッパ（図１３参照）に横・連動桿２７端が衝接して定まる。
【００６１】
図５、図６においてトリガー２８の左方の位置には滑車５４，５５が設けられている。滑車５４は横・連動桿２７上に固定した支持台５６に固定したピン５７に回転自在に支持されている。滑車５５は支持台５８に固定したピン５９に回転自在に支持されている。ピン５７，５９は平行している。滑車５４，５５は上下方向同一位置にある。支持台５６，５８は対向部が開放された溝形鋼形である。支持台５６の下方のフランジ５６ａは横・連動桿２７の上面に当接している。フランジ５６ａを挿通する小ねじ６１を横・連動桿２７の背面に嵌め込んだ裏板（図示されない）にねじ込むことにより支持台５６は横・連動桿２７に固定されている。本例では支持台５６，５８は形状寸法が同一である。支持台５８はそのフランジ５８ａが図６に示すようにくら形の台６３上面に当接し、フランジ５８ａを挿通する小ねじ６４を台６３の上面材にねじ込むことにより台６３に固定されている。台６３は下枠７の内側材７ｂに固定されたＬ形のブラケット６５に小ねじ６６により固定されている。
【００６２】
図５に二点鎖線で示すように一方が滑車５４の左側に左方に向って下枠７に平行に直線状に張設されているワイヤー２４Ｂは滑車５４の右側に巻き掛けられ、他方は滑車５４から退出して滑車５５の左側に巻き掛けられ滑車５５から右方に下枠７に平行して延びる。滑車５４，５５間はワイヤー２４Ｂはたすき掛けである。滑車５４，５５については右方に延びたワイヤー２４Ｂは図４に示す右側の窓に一部を除いて対称に配設される。即ち、換気用ユニット１００は方立６Ａを中心にして左右対称である。ワイヤー２４については更に後述する。
（トリガー）
【００６３】
図１４、図１５、図１６、図１７に示すように全体を符号２８Ａで示すトリガーアセンブリはトリガー２８がブラケット２８ａ上に立設したピン２８ｂに回転自在に支持されている。図１７に示すトリガー２８に一体に設けられたボス２８ｃに挿入されたねじりコイルばね２８ｄの一端２８ｄ１はトリガー２８に引っ掛けられ、他端２８ｄ２はブラケット２８ａに立設したストップピン２８ｅに弾力で接している。該ばね２８ｄのばね力で図１４においてトリガー２８はピン２８ｂを中心として反時計回りの付勢力を受けてストップピン２８ｅに接している。トリガー２８がストップピン２８ｅに接している状態でトリガー２８と横・連動桿２７は平行している。
【００６４】
トリガー２８は幅がストッパ４６よりもわずかに大きく帯鋼製である。トリガー２８は帯鋼製で水平なビーム２８ｈの両端が折曲してストッパ４６の端面に当る位置まで垂下し一端が横・連動桿２７の左行を規制するストッパ４６に係脱するストッパ止め２８−１、他端が障子側のカム部２９ｓに押されるカム作動子２８−２となっている。図１６に示すようにトリガーアセンブリ２８Ａのブラケット２８ａはアングル形状をしており、垂直方向のフランジは下枠の内側材７ｂに当接し、ブラケット２８ａの穴２８ａ１及び内側材７ｂの穴を挿通し、内側材７ｂの外部側の面に当接した裏板２８ｆにねじ込んだ小ねじ２８ｇにより下枠７に固定されている。裏板２８は下枠７に小ねじ２８ｇにより固定されている。
【００６５】
トリガー２８はピン２８ｂからストッパ止め２８−１までの長さが、ピン２８ｂからカム作動子２８−２までの長さよりも著しく大きい。これによって、障子側のカム部２９ｓがカム作動子２８−２をわずかに移動させるだけでストッパ止め２８−１はストッパ４６から外れる。ストッパ止め２８−１とカム作動子２８−２間の距離はストッパ４６の長さよりも長くなっている。
【００６６】
トリガーアセンブリ２８Ａを下枠７に取付けた状態（障子２が施錠されていない状態）において障子２が開いている際は平面で見てトリガー２８と横・連動桿２７は長手方向を一致させて重なっている。
（施錠装置）
【００６７】
図１８は施錠装置の平面図、図１９は図１８の側面図である。下枠７に小ねじ４５ａにより下側の上下方向のフランジ４５ｂが固定されたブラケット４５は上側の水平方向のフランジ４５ｄに上下方向の軸心を持つ軸受４５ｅ（図１８では図略）が植設してある。先に述べたがブラケット４５は図１９に示すように横方向のフランジ４５ｄは横・連動桿２７を嵌合したガイドレール４４を支持している。軸受４５ｅには下側につばを有するピン４５ｆが回転自在に嵌合している。
【００６８】
ピン４５ｆの上端にはフック６９の根本が固定してある。フック６９は施錠装置における障子側の受金であるピン部２９ｂに係脱可能な引掛け部６９ｂを先端に有する。フック６９にはカム穴６９ａが設けてある。このカム穴６９ａには横・連動桿２７上に立設したロックピン４５ｃが挿入してある。ロックピン４５ｃは下端の縮径したおねじが横・連動桿２７を貫通して横・連動桿２７の裏面側に嵌め込んだ裏板２７ｆにねじ込んである。裏板２７ｆは横・連動桿２７に小ねじ２７ｇにより固定されている。
【００６９】
カム穴６９ａは縁６９ａ１〜６９ａ４を有する。施錠状態において、横・連動桿２７に対して縁６９ａ４，６９ａ３は平行、縁６９ａ２は直角、縁６９ａ１は縁６９ａ４に続いて右下りの斜面となっている。縁６９ａ３と６９ａ４の対向間隔はロックピン４５ｃの直径よりわずかに大きい。
【００７０】
たて・連動桿２２の下降により障子２がほぼ閉まった後は横・連動桿２７は図１８において左行する。するとロックピン４５ｃは左行して点線位置にある施錠装置の掛金であるフック６９を軸受４５ｅを中心にして反時計回りに回動してピン部２９ｂを室内側へ引寄せて障子２をロックする。このときロックピン４５ｃはカム穴６９ａの縁６９ａ１を加圧し乍移動する。これによって、障子２の引寄せが行われる。図１８の実線で示すようにロックピン４５ｃがピン部２９ｂと内外方向のほぼ一直線上にあるとき、縁６９ａ１に続く縁６９ａ４は横・連動桿２７と平行している。このとき、フック６９の引っ掛け部６９ｂは横・連動桿２７に平行してピン部２９ｂに係合して障子２は閉じている。
【００７１】
ピン部２９ｂに対するフック６９の係止の解除は、横・連動桿２７の図１８においての右行によりロックピン４５ｃが右行して軸受４５ｅを中心にフック６９は時計回りに回動して行われる。このとき、ロックピン４５ｃはカム穴６９ａの縁には縁６９ａ４，６９ａ３，６９ａ２の順に接触する。ロックピン４５ｃが縁６９ａ４を離れて図１８において右行して縁６９ａ２までの間はロックピン４５ｃは障子２の引寄せが弛んだだけの見込方向に移動し縁６９ａ３と摺動するがフック６９に作用しない。このとき軸受装置３の遊び分以内だけたて・連動桿２２が上昇するがたて・連動桿２２から軸受装置３への運動の伝達はない。
【００７２】
横・連動桿２７の右行によりロックピン４５ｃは縁６９ａ２を押し、フック６９は軸受４５ｅを中心にして時計回りに回動し、続いてロックピン４５ｃは縁６９ａ３を加圧し、摺動し図１８の点線で示すように縁６９ａ３，６９ａ４間に入る。施錠の際、ロックピン４５ｃは縁６９ａ４を加圧し乍縁６９ａ４と接触位置を変える。このように、横・連動桿２７は施錠時に遊びがなくフック６９を駆動し、解錠時は遊び分だけ移動した後にフック６９を駆動するように構成してある。
（仮ロック装置）
【００７３】
図２０は平面図、図２１は側面図で示す仮ロック装置１３１である。仮ロック装置１３１は障子２が自然風力による換気を行っている第１の位置にある状態で障子２が緩衝装置７０（詳細は後述する）を圧して閉鎖した際に仮ロック作動して、障子２が強風にあおられ続ける状態を防止するものである。
【００７４】
図２１に示すアングル形状のブラケット１５１は下枠７の内側材７ｂの室内側の面に当接している。内側材７ｂの外側に当接する裏板１５２は下枠７に小ねじ１５２ａで固定されている。ブラケット１５１のたてフランジ、内側材７ｂを挿通して小ねじ１５１ａが裏板１５２にねじ込まれ、ブラケット１５１は下枠７に固定されている。ブラケット１５１の横フランジの先端部には中心が垂直方向の円筒形の支持ピン１５１ｂが植設してある。支持ピン１５１ｂには仮ロックアーム１５３の根本のボス１５３ａが回転自在に嵌合している。仮ロックアーム１５３のボス１５３ａに挿入されたねじりコイルばね１５４の一端は仮ロックアーム１５３に係止され他端はブラケット１５１の横フランジに係止されて、仮ロックアーム１５３は図２０において支持ピン１５１ｂを中心にして時計回りに該ばね１５４により付勢されている。
【００７５】
仮ロックアーム１５３は先端がフック状でフック部１５３ｂには障子２が閉るときに障子２の下框１１に設けた仮ロックピン１５５が外部側から内部側に移動して当り、ねじりコイルばね１５４のばね力に抗して図２０において仮ロックアーム１５３を支持ピン１５１ｂを中心にして反時計回りに回転させられるカム部１５３ｃと、カム部１５３ｃを仮ロックピン１５５がのり越えて更に内部側の位置に移動した際、仮ロックアーム１５３がねじりコイルばね１５４のばね力で支持ピン１５１ｂを中心にして時計周りに回動して、仮ロックピン１５５を抱きかかえる係止面１５３ｄと、仮ロックアーム１５３がねじりコイルばね１５４のばね力による回転でストッパ１５１ｈに当った際に制止されるが仮ロックピン１５５と接触しない逃げ面１５３ｅを有する。係止面１５３ｄは仮ロックアーム１５３がストッパ１５１ｈに当った状態を実線で示した図２０において左右方向を向いており、逃げ面１５３ｅは図２０において内外部方向を向いた直線である。仮ロックピン１５５と仮ロックアーム１５３の係合により障子２側から加える外力で障子２が開かないようになっている。仮ロックアーム１５３の係止面１５３ｄに仮ロックピン１５５が接している状態では障子２は閉じてはいるが全閉しておらず、図２０において障子２が全閉するとき仮ロックピン１５５は逃げ面１５３ｅに沿って内部側へ移動する。
【００７６】
障子２側についてのべる。図２１に示すように障子２の下框１１に下側のフランジ１５６ｃが小ねじ１５６ａにより固定されたブラケット１５６の上側のフランジ１５６ｂの先端には円筒形の仮ロックピン１５５が植設されて仮ロックアーム１５３に係合可能な位置まで垂下している。上側のフランジ１５６ｂの図２０において左下の角の下側には斜設した仮ロック解除板ばね１５７が固定されている。下枠７に固定したブラケット１５１の横フランジには支持ピン１５１ｃが植設してある。支持ピン１５１ｃに根本のボス１５８ｄが回転自在に嵌合している仮ロック制御レバー１５８が設けてある。ボス１５８ｄに挿入されたねじりコイルばね１６１のばね端は一端がブラケット１５１の横フランジに係止され他端は仮ロック制御レバー１５８に係止され、仮ロック制御レバー１５８は図２０において支持ピン１５１ｃを中心にして反時計回りに付勢されている。仮ロックアーム１５３と仮ロック制御レバー１５８は水平な平板状で板面が接近して重なっている。仮ロックアーム１５３に植設した仮ロック解除保持ピン１５３ｆは仮ロック制御レバー１５８のカム面１５８ａが摺動可能な位置にある。
【００７７】
ほぼベルクランク状の仮ロック制御レバー１５８は一方のレバーのカム面１５８ａに続いて根本に近い側に、仮ロック解除保持ピン１５３ｆと係合して仮ロックアーム１５３の図２０において支持ピン１５１ｂを中心とするねじりコイルばね１５４の回転力に抗して時計回りの回転を止める保持部１５８ｂを有する。仮ロック制御レバー１５８の他方のレバーの先端には仮ロック復帰ピン１５８ｃが固定されている。
【００７８】
障子２が完全に閉鎖して施錠される際は、施錠のために左行する横・連動桿２７上に固定してある仮ロック解除ピン１５０は左行して仮ロックアーム１５３に当り仮ロックアーム１５３を支持ピン１５１ｂを中心にして図２０において反時計回りに回動して、仮ロックピン１５５と仮ロックアーム１５３の係合は解かれる。
【００７９】
仮ロックアーム１５３は仮ロック解除保持ピン１５３ｆが、ねじりコイルばね１６１のばね力で支持ピン１５１ｃを中心にして反時計回りに回動する仮ロック制御レバー１５８の保持部１５８ｂにより仮ロック解除の状態に保たれる。
【００８０】
仮ロック復帰ピン１５８ｃは障子２が閉鎖された状態から開く際にロック解除板ばね１５７の外部側への移動により作用され、仮ロック制御レバー１５８を図２０において支持ピン１５１ｃを中心にして時計回りに回転する。これによって、該レバー１５８の保持部１５８ｂに係止されている仮ロック解除保持ピン１５３ｆは保持部１５８ｂから開放され仮ロックアーム１５３は図２０において支持ピン１５１ｂを中心にして時計回りに回転する。その際仮ロック解除保持ピン１５３ｆは仮ロック制御レバー１５８のカム面１５８ａ上を滑動する。このときねじりコイルばね１６１のばね力で仮ロック制御レバー１５８は図２０において支持ピン１５１ｃを中心にして反時計回りに回転力を受けている。従ってカム面１５８ａと仮ロック解除保持ピン１５３ｆ間には摺動抵抗が生じる。
【００８１】
ここで、仮ロックアーム１５３、仮ロック制御レバー１５８を夫々付勢しているねじりコイルばね１５４と１６１の関係についてのべる。図２０に示すように仮ロック制御レバー１５８のカム面１５８ａは仮ロックアーム１５３を支持する円筒形の支持ピン１５１ｂの中心と円筒形のロック解除保持ピン１５３ｆとほぼ直線状のカム面１５８ａとの接点Ｐ１を結ぶ直線に対して直角な直線に対して斜設してある。この斜設方向は仮ロックアーム１５３を支持する支持ピン１５１ｂの中心から見て緩い右上りである。即ち、仮ロック制御レバー１５８を支持する支持ピン１５１ｃの中心Ｐ２と接点Ｐ１を結ぶ線とカム面１５８ａが接点Ｐ１を頂点とする角は支持ピン１５１ｃ側に向って開いている。従って、仮ロック制御レバー１５８を付勢するねじりコイルばね１６１のばね力による摺動抵抗は支持ピン１５１ｂを中心にして時計回りに回転する仮ロックアーム１５３を付勢するねじりコイルばね１５４に対する負荷となる。そこで、この負荷に打克って仮ロックアーム１５３の回転を保障するように仮ロックアーム１５３を付勢するねじりコイルばね１５４のばね力は仮ロック制御レバー１５８を付勢するねじりコイルばね１６１のばね力よりも強くしてある。
【００８２】
図２０に示すようにブラケット１５１の横フランジにストッパ１５１ｈが立設されている。ストッパ１５１ｈは障子２がほぼ閉って仮ロックされているとき、障子２が開放されて仮ロック作用の待機をしているときに、仮ロックアーム１５３のねじりコイルばね１５４による回転を阻止するように仮ロックアーム１５３と当接する位置にある。
【００８３】
既にのべたように横・連動桿２７には竪軸の円筒形の仮ロック解除ピン１５０が植設してある。仮ロック解除ピン１５０の下部は横・連動桿２７の穴に嵌合し横・連動桿２７の背面に嵌合する取付板部２７ｄと一体となっている。取付板部２７ｄを挿通して小ねじ２７ｅが横・連動桿２７にねじ込まれている。
【００８４】
図２０において、横・連動桿２７の左行により、仮ロック状態の仮ロックアーム１５３に仮ロック解除ピン１５０が当ると、仮ロックアーム１５３は支持ピン１５１ｂを中心にして反時計回りに回転して、その係止面１５３ｄは障子側の仮ロックピン１５５から左方に離れる。これによってここで、仮ロックピン１５５は見込方向の外部側に向って自在に移動できる。この仮ロックアーム１５３の反時計回りの回転の限度位置まで、仮ロック解除ピン１５０が移動できるようにブラケット１５１の横フランジには切欠き１５１ｄが設けてある。
【００８５】
上記において、図面は画法上一部透視図としてある。即ち、図２０において小ねじ１５６ａ、ブラケット１５１、仮ロック制御レバー１５８、仮ロックアーム１５３、が下から上に重なっているが、重なっている部分において小ねじ１５６ａ、仮ロック制御レバー１５８、ブラケット１５１は実線で示してある。また、作用を示す図形は点線で示した部分である。
仮ロック装置は次にのべる緩衝装置を有しない自然風力換気窓においても有効である。
（緩衝装置）
図２２は緩衝装置７０の側面図、図２３は図２２の平面図、図２４は図２２に示す緩衝アーム組物７０Ａを左側から見る正面図である。
【００８６】
竪枠６の近くで下枠７にはアングル状の取付ベース７１が下枠７の内側材７ｂ、周材７ｃに接している。取付ベース７１の横フランジ７１ａは図示されない小ねじにより周材７ｃに固定されている。取付ベース７１のたてフランジ７１ｂには平面で見てアングル状の緩衝アーム取付ブラケット７３が当接している。内側材７ｂ、又は内側材７ｂ及び竪枠６の内側材６ｃ（開口枠１が竪枠勝に四方組されている場合）及びたてフランジ７１ｂを挿通して小ねじ７４が緩衝アーム取付ブラケット７３にねじ込まれている。これによって緩衝アーム取付ブラケット７３が下枠７側に固定されることにより取付ブラケット７３を含み全体を符号７０Ａで示す緩衝アーム組物が下枠７に固設される。
【００８７】
図２４に示すように取付ブラケット７３の取付ベース７１に接していない見込方向のフランジにはアーム取付ピン７５が固定されている。アーム取付ピン７５には緩衝アーム７６の根本のボス７６ａの中心の穴が回転自在に嵌合している。ボス７６ａにはねじりコイルばね７７が挿入されている。該ばね７７の一端は取付ブラケット７３に係止され、他端は緩衝アーム７６の中間に係止されており、図２２において該ばね７７のばね力で緩衝アーム７６はアーム取付ピン７５を中心にして時計回りに付勢されている。緩衝アーム７６のねじりコイルばね７７の回転力による回転は、緩衝アーム７６がストッパ７３ａに当ることにより止められる。ストッパ７３ａは取付ブラケット７３に固定されている（図２２、図２３参照）。
【００８８】
図２４に示すように緩衝アーム７６の先端には先端ピン軸７６ｂがかしめて固定されている。該ピン軸７６ｂには緩衝ローラ７８が回転自在に嵌合している。緩衝アーム７６の中間には中間ピン軸７６ｃがかしめて固定されている。中間ピン軸７６ｃには緩衝解除ローラ７９が回転自在に嵌合している。アーム取付ピン７５、先端ピン軸７６ｂ、中間ピン軸７６ｃの各軸心は平行している。壁面に沿う方向（見付方向）で見て緩衝ローラ７８と緩衝解除ローラ７９は緩衝アーム７６を間にして互に反対側にある。緩衝アーム７６の先端に設ける先端部材は緩衝ローラ７８に限らず、竪框９の段部９ｂと摺動する部材でもよい。
【００８９】
図２３に示すように緩衝ローラ７８は竪框９の段部９ｂが衝接する位置にある。緩衝解除ローラ７９はたて・連動桿２２の下部に小ねじ８１ｃにより固定された直動カム８１に作用されるカム従動子となる位置にある。図２２に示すように直動カム８１のカム作用面８１ａは垂直方向に対して斜設されており、直動カム８１のカムトップ８１ｂ上に緩衝解除ローラ７９がある図２２の位置においては、障子２の引寄せの直前から障子２が閉まり切った施錠状態において緩衝ローラ７８は竪框９の段部９ｂとわずかに離れた位置にある。
【００９０】
直動カム８１が上昇するとカム作用面８１ａは共に上昇し緩衝アーム７６は図２２においてねじりコイルばね７７のばね力でアーム取付ピン７５を中心にして時計回りに回動し、緩衝解除ローラ７９は直動カム８１のカム作用面８１ａに沿って転動し、緩衝アーム７６はストッパ７３ａに当り、外部側に斜めに倒れた状態となる（図２２の点線位置）。直動カム８１が下降すると緩衝解除ローラ７９とカム作用面８１ａは緩衝解除ローラ７９を押し、緩衝アーム７６は図２２においてアーム取付ピン７５を中心にして回転し図２２に実線で示すように直立する。
【００９１】
自然風力で障子２が閉る際、竪框９の段部９ｂが緩衝ローラ７８に当るので緩衝アーム７６は図２２において点線位置からアーム取付ピン７５を中心にして反時計回りに回転させられる。このときねじりコイルばね７７はねじられ次第にばね力が強くなって行くので障子２の閉る際における風力及び慣性力による軸受装置３の軸３ｂを中心とする回転エネルギーはゆるやかに吸収される。
【００９２】
障子２が閉って仮ロックされた状態では、障子２は自然風力換気の第１の位置にあり、たて・連動桿２２は中間位置にあり、直動カム８１は緩衝解除ローラ７９から離れて上方にある。緩衝アーム７６は図２２において直立した位置と斜めになった位置の中間位置にとどまり、障子２の下框１１に設けた仮ロックピン１５５と仮ロックアーム１５３の係止面１５３ｄは緩衝アーム７６を付勢しているねじりコイルばね７７のばね力に基く力で加圧されている。従って、障子２の下部は見込方向への移動を制止され、障子２ががたつくことがない。
【００９３】
解錠される際、施錠装置のロックピン４５ｃが図１８において右行して縁６９ａ２に接するまでは解錠されない。横・連動桿２７はワイヤー２４Ｂを弛めたて・連動桿２２と共に直動カム８１は上昇し、カム作用面８１ａは緩衝解除ローラ７９から離れる方向に変位する。緩衝アーム７６はねじりコイルばね７７のばね力でアーム取付ピン７５を中心にして時計回りに回転し始める。即ち、解錠されたときには、緩衝装置は作用して障子２の開き始めの動きを加勢する。
（排煙機構）
【００９４】
方立６Ａには排煙用ユニット２００が設けられる。図２５（ａ）は排煙用ユニット２００に採用された排煙機構の正面図、図２５（ｂ）は側面図である。図２６は排煙機構を含む方立の正面図、図２７は図２６の左側面図、図２８は図２６の右側面図、図２９は図２６のＣ−Ｃ断面図、図３０は図２６のＢ−Ｂ断面図である。
【００９５】
図２９、図３０に示すように方立６Ａは竪枠６，６を結合部材６Ａ１，６Ａ２で結合してある。ブラケット８７を挿通する小ねじ８７ａは結合部材６Ａ１を挿通して方立６Ａを構成する竪枠６，６の内側材６ｃにねじ込まれている。結合部材６Ａ２は夫々がＺ形鋼形の部材の一端のフランジを重ねて小ねじ６Ａ２１で結合して全体としてリップ溝形鋼形である。結合部材６Ａ２はそのフランジを挿通する小ねじ８８ａを躯体側部材８９にねじ込んである。結合部材６Ａ２のウエブには竪枠６を挿通した小ねじ８８ｂがねじ込まれている。かかる結合部材６Ａ１，６Ａ２は少なくとも方立６Ａの上下に配設されている。
【００９６】
図２９に示すように方立側のたて・連動桿２２Ａに当接するＺ形鋼形のブラケット９２の一方のフランジとたて・連動桿２２Ａを挿通して小ねじ９２ａがたて・連動桿２２Ａの背面に嵌め込まれた裏板２２Ａｂにねじ込まれることにより、該ブラケット９２はたて・連動桿２２Ａに固定されている。ブラケット９２の他方のフランジには、くら９３が小ねじ９３ｄにより固定されている。くら９３には見付方向の軸心を持つ円筒部９３ａ、円筒部９３ａから縮径したおねじ９３ｂが設けてある。円筒部９３ａにはガスダンパ９４のシリンダ９４ａの一端に一体的に設けた取付部９４ｂが回転及びわずかな軸方向移動を許されるように嵌合している。おねじ９３ｂにナット９３ｃがねじ込まれている。図２５に示すようにガスダンパ９４のシリンダ９４ａの他端からシリンダ９４ａに対して出入り自在なピストンロッド９４ｃの先端が方立６Ａに固定されたベース９５に取り付けられている。ベース９５に固定した見付方向の軸心を持つ段形状の円筒部９５ａ、円筒部９５ａから縮径したおねじ９５ｂを有するロッド結合部材９５ｄが設けてある。円筒部９５ａにガスダンパ９４のピストンロッド９４ｃの先端の接手部９４ｄが回転及びわずかな軸方向の移動を許されるように嵌合している。おねじ９５ｂにナット９５ｃがねじ込まれている。
【００９７】
シリンダ９４ａ内にはピストンロッド９４ｃに固定したピストンが移動自在に密封して嵌合されており、ピストン背部側（反ロッド側）には高圧ガスが封止されている。これによってピストンロッド９４ｃはシリンダ９４ａから押し出されるように付勢されている。上記封入高圧ガスはばね常数が小さく、圧縮長さが大きい圧縮コイルばねに例えることが出来、ピストンロッド９４ｃの位置の変化に対して出力となる圧力の変動は小さい。ここで、シリンダ９４ａに封止されているガスは例えば窒素ガスである。  
（操作装置）
【００９８】
たて・連動桿２２，２２Ａ横・連動桿２７を牽引するワイヤー２４（２４Ａ，２４Ｂ），２５の掛け方について説明する。巻掛伝動媒体として設けたワイヤー２４，２５は単線又は捻り線のばね鋼の線である。
【００９９】
操作装置はハンドル装置のようにドラムに捲回したワイヤー２４，２５と、操作部材１１２，１１３としてドラムを回転する手動のハンドルを有する。ワイヤー２４は換気操作用、ワイヤー２５は排煙操作用である。
【０１００】
図６、図７に示すように連窓の左方の窓の左下のコーナーには滑車群（第１滑車２６ａから第６滑車２６ｆ）を有する滑車装置２６でもってワイヤー２４のたて・横方向張設の変換機構としてある。第１滑車２６ａから第６滑車２６ｆは夫々が後述する部材に固定した固定軸に回転自在に嵌合している。
【０１０１】
図７に示すように竪枠６の内側材６ｃに固定されたブラケット６ｅに固設した固定軸６ｅ１に第１滑車２６ａが回転自在に支持されている。第１滑車２６ａに下から上に向って巻き掛けられて上側から室内側より外部側に向って退出するワイヤー２４が下側から上方に向うように第２滑車２６ｂに巻き掛けられている。第２滑車２６ｂは図６、図７に示すように竪枠６の周材６ｄに固定されたブラケット６ｇに固設した固定軸６ｇ１に回転自在に嵌合している。第２滑車２６ｂから上方に退出したワイヤー２４はたて・連動桿２２の幅方向の中央に立設した固定軸２２ｂに回転自在に支持されている第３滑車２６ｃの上側に１８０度を少し越る巻掛角でもって巻き掛けられている。第３滑車２６ｃから斜め下方に向って退出したワイヤー２４は第４滑車２６ｄの図７において左側から下側に向って巻き掛けられている。第２滑車２６ｂの直下に第４滑車２６ｄが位置する。第４滑車２６ｄは第２滑車２６ｂを支持する固定軸６ｇ１を設けたブラケット６ｇに固設した固定軸６ｇ２に回転自在に嵌合している。上記において、第１から第４までの滑車２６ａ〜２６ｄは同一平面状に有り、固定軸６ｅ１，６ｇ１，２２ｂ，６ｇ２は平行しており、見付方向の水平軸心を持つ。
【０１０２】
下枠７の内側材７ｂに当接固定したブラケット７ｇの板面が水平な横フランジに立設した固定軸７ｃ１，７ｃ２は夫々第５滑車２６ｅ，第６滑車２６ｆが回転自在に嵌合している。第４滑車２６ｄから水平方向に内部に向って退出したワイヤー２４は第５滑車２６ｅの図６において左側、図７において手前側に巻き掛けられる。第５滑車２６ｅと第６滑車２６ｆは見付方向で同一位置に有り、見込方向では第５滑車２６ｅは第６滑車２６ｆの外部側にある。第５滑車２６ｅ、第６滑車２６ｆ間にはワイヤー２４がたすき掛けに巻き掛けられている。第６滑車２６ｆからワイヤー２４は下枠７に平行な方向に下枠７に沿って退出する（符号２４Ｂ）。
【０１０３】
上記において、たて・連動桿２２は引張コイルばね３７でもって上方に向って付勢されているので、ワイヤー２４が弛められるとたて・連動桿２２は上昇する。ワイヤー２４の換気用操作部材１１２に結合されている側のワイヤー２４Ａ（図７参照）を引くと、第２滑車２６ｂと第３滑車２６ｃ間に張設されているワイヤー２４には引張力が働く。この引張力はたて・連動桿２２を上方に向って付勢している引張コイルばね３７のばね力と、たて・連動桿２２とガイドレール２１間の摺動抵抗、軸受装置３の摩擦抵抗、及びたて・連動桿２２から軸受装置３を介して障子２を閉める又は開く方向に動く場合の慣性抵抗が加わる。
【０１０４】
実施例では第２滑車２６ｂと第３滑車２６ｃ間でのワイヤー２４はたて・連動桿２２の移動方向に平行しており、たて・連動桿２２の幅方向からわずかしか離れていない。そして、第３滑車２６ｃと第４滑車２６ｄ間に張設されたワイヤー２４の張力Ｔ１（図面には記載しない）は第２滑車２６ｂと第３滑車２６ｃ間に張設されたワイヤー２４の張力Ｔ２（図面には記載しない）とほぼ等しい。従って、たて・連動桿２２に立設した固定軸２２ｂには近似的にＴ１+Ｔ２のワイヤー２４の張力に基く外力が垂直方向からわずかに傾いた下方に働く。従って、コーナー滑車装置２６によりたて・連動桿２２に生ずるサイドスラストは小さい。なお、引張コイルばね３７の位置もたて・連動桿２２に近接しているのでワイヤー２４が弛められたて・連動桿２２が引張コイルばね３７のばね力で上昇する際も上記サイドスラストは小さい。
【０１０５】
本実施例では第１滑車２６ａから垂下しているワイヤー２４Ａが引かれると、ワイヤー２４Ｂが横・連動桿２７を引いて左行させるが、横・連動桿２７がわずかに左行するとトリガー２８のストッパ止め２８−１にストッパ４６が係合してそれ以上の左行を規制している。このことで、たて・連動桿２２が降下した後に横・連動桿２７が左行するようにしているが、横・連動桿２７を右方へ引張っている引張コイルばね４９のばね力を、たて・連動桿２２を上方へ引張っている引張コイルばね３７のばね力がワイヤー２４Ｂに及ぼす張力よりも大きくしてワイヤー２４Ｂを不動とし、横・連動桿２７が可動な状態においても引張コイルばね４９のばね力で右行端にありたて・連動桿２２（直動カム８１）が降下してストッパ４２に（図１３参照）に当るまで移動しないようにすることもできる。ワイヤー２４Ｂ側から滑車装置２６の第６滑車２６ｆ、第５滑車２６ｅ、第４滑車２６ｄ、たて・連動桿２２に設けた第３滑車２６ｃまで巻き掛けてあるワイヤー２４もワイヤー２４の張設方向に移動しない。従って、第１滑車２６ａから垂下しているワイヤー２４Ａは下方へ移動すると共に第１滑車２６ａは固定軸６ｅ１上で回転し、第１滑車２６ａ、第２滑車２６ｂ間のワイヤー２４は図７において右行するので第２滑車２６ｂは固定軸６ｇ１上で回転する。これによって第２滑車２６ｂと第３滑車２６ｃ間のワイヤー２４は下方に移動して、第３滑車２６ｃは下降し、ガイドレール２１に案内されてたて・連動桿２２は下方に移動する。換気用操作部材１１２側からワイヤー２４Ａを弛めると、引張コイルばね３７のばね力でたて・連動桿２２は上昇する。
【０１０６】
ワイヤー２４Ａの一方端側は換気用操作部材１１２内の図示されないドラムに捲回されている。このワイヤー２４Ａの他方端側２４ａ（図７参照）はたて・連動桿２２近くで滑車群の第５滑車２６ｅ、第６滑車２６ｆによって方向が変更され、下枠７に沿って配されるワイヤー２４Ｂとなる。ワイヤー２４Ａが引張コイルばね３７のばね力に抗して移動する際のトラベルはたて・連動桿２２のトラベルの２倍である。従って、たて・連動桿２２側の移動における摩擦・慣性抵抗を除いて引張コイルばね３７のばね力の２分の１の引張力がワイヤー２４Ａに生ずる。滑車装置２６に巻き掛けられた部分から換気用操作部材１１２間のワイヤー２４Ａは滑車等の案内部材（図示されない）を介して張設されている。
【０１０７】
図５、図３８に示す換気用操作装置の部材として設けたワイヤー２４Ｂは滑車５４，５５に巻き掛けられる。方立６Ａを対称の中心として連窓の両側の窓の滑車５４，５５は対称位置にある。滑車５４，５４間の見付方向の外側に滑車５５，５５がある。また、滑車５４，５４の室内側に滑車５５，５５がある。図３８に示すように、連窓の右側の窓の滑車５５から右方に離れてリターン滑車１０５，１０６が設けてある。
【０１０８】
換気用操作部材１１２内の図示されないドラムに一端側（２４Ａ）が捲回されたワイヤー２４Ｂは図示されない滑車等の案内部材を介して図３８に示すように下枠７に沿って図４における連窓の右側の窓の右端まで配され、右端から固設したリターン滑車１０５，１０６（図略有り）を介して図３８における右側の滑車５４，５５に巻き掛けてある。そして右側の滑車５５と左側の滑車５５間に張設されたワイヤー２４Ｂは左側の滑車５５，５４に巻き掛けられたあとは下枠７近くで図示されない部材に固定されるワイヤーエンド２４Ｂｅとなる。滑車５４，５５間ではワイヤー２４Ｂはたすき掛けである。
【０１０９】
なお、図３９に示すように、横・連動桿２７をワイヤーで移動するのに単窓の場合はリターン滑車が不要となり、ワイヤー２４Ｂｓは竪枠６側から滑車５４に巻き掛けられ滑車５５にたすき掛けされ、任意の位置２４Ｂｓｅで図示されない部材に固定される。よって、ワイヤー２４Ｂの配列の向きは、図５と逆になる。更には、上記において滑車５４に巻き掛けられた後のワイヤー２４Ｂｓは滑車５５をなくして図示されない部材に固定することもできる。
【０１１０】
上記構成により、連窓の左右の横・連動桿２７は換気用操作部材１１２からのワイヤー２４Ｂの張力によって互に遠のく方向へ移動すると共にワイヤー２４Ｂが弛められると引張コイルばね４９のばね力で互に近づく方向に移動する。
（排煙操作装置）
【０１１１】
排煙用操作部材１１３内のドラムに捲回されて引出されたワイヤー２５が図示されない滑車を介して連窓の左側の窓の竪枠６の下側から下枠７の内側材７ｂの内側面に沿って水平にのびて、方立６Ａの位置近くで図２６に示す滑車９６ａ，９６ｂの順に巻き掛けられる。滑車９６ａ，９６ｂは下枠７に固定されたブラケット７ｄの上面のフランジに立設された固定軸７ｄ１，７ｄ２に回転自在に嵌合している。滑車９６ａ，９６ｂは見込方向は同一位置にある。左側の窓の左側の竪枠６側から方立６Ａに向って張設され滑車９６ａの下枠７の内側材７ｂに近い側に巻き掛けられたワイヤー２５は滑車９６ａ，９６ｂ間はたすき掛けとなる。滑車９６ｂから図２６において右方へ下枠７に平行して退出したワイヤー２５は滑車９６ｃの下側から巻き掛けられ上向きに退出する。滑車９６ｃはブラケット７ｄに立設したスタンド７ｄ３に固設した見込方向に軸心を持つ固定軸７ｄ４に回転自在に支持されている。
【０１１２】
図２７に示すように滑車９６ｃから上方に向けて退出したワイヤー２５は滑車９６ｄの室内側から上側に巻き掛けられ見込方向の外部側へ向って退出する。滑車９６ｄは支持柱のブラケット８７のフランジに固定されたくら８７ｂに立設した固定軸８７ｃに回転自在に支軸されている。固定軸８７ｃの軸心は見付方向を向いている。滑車９６ｄから外部側に向って退出したワイヤー２５は滑車９６ｅの下側に進入して側方に向って巻き掛けられ上方に向って退出する。滑車９６ｅはサドル９７に立設した固定軸９７ａに回転自在に嵌合している。サドル９７は方立６Ａにおける竪枠６に小ねじ９７ｂで固定されている。滑車９６ｅを退出して垂直上方に延びるワイヤー２５は滑車９６ｆの上側に巻掛け角１８０度で巻き掛けられる。滑車９６ｆはブラケット９８に植設した固定軸９８ａに回転自在に嵌合している。図２７、図３０に示すように固定軸９８ａはたて・連動桿２２Ａの幅方向の中央に位置する。図３０に示すようブラケット９８、たて・連動桿２２Ａを挿通してたて・連動桿２２Ａの背部に当接嵌合している裏板２２Ａｃに小ねじ９８ｂがねじ込まれることによりブラケット９８はたて・連動桿２２Ａに当接支持される。滑車９６ｆの上半分に巻き掛けられたワイヤー２５は垂下して滑車９６ｇの外部側に進入して下側に巻き掛けられ水平方向の室内側に向って退出している。
【０１１３】
滑車９６ｇは方立６Ａの竪枠６に小ねじ９９ｂで固定されたサドル９９に固設した固定軸９９ａに回転自在に嵌合している。上述した滑車９６ｄ〜９６ｇの中心は見付方向を向いており平行している。
【０１１４】
滑車９６ｇから室内側に向って退出したワイヤー２５は滑車９６ｈに巻き掛けられる。滑車９６ｈは方立６Ａを構成する竪枠６に固定されたブラケット１０１に立設された固定軸１０１ａに回転自在に嵌合している。
【０１１５】
図３０に示すように方立６Ａの見込方向の中心線ＣＬ（左右の窓の対称軸）をとおる垂直面を対称面として滑車９６ｆ，９６ｇ，９６ｈと対称に滑車９６ｆ１，９６ｇ１，９６ｈ１が設けられている。滑車９６ｆ１，９６ｇ１，９６ｈ１の支持部材は滑車９６ｆ，９６ｇ，９６ｈの支持部材と中心線ＣＬをとおる垂直面を対称面として対称に設けられている（詳細な説明は滑車９６ｆ，９６ｇ，９６ｈの支持に関する前述の説明を援用する）。
【０１１６】
滑車９６ｆ１，９６ｇ１，９６ｈ１に対するワイヤー２５の掛け方も、滑車９６ｆ，９６ｇ，９６ｈに対するワイヤー２５の掛け方と同様であるが滑車９６ｈ１，９６ｇ１，９６ｆ１と逆順に進み、滑車９６ｆ１から退出するワイヤー２５は垂下する。滑車９６ｅと９６ｆ間に張設されるワイヤー２５と滑車９６ｆ１から退出するワイヤー２５は見付方向から見て重なる。図２８に示すように滑車９６ｆ１から垂下するワイヤー２５の端は竪枠６に固定されたブラケット１０２に係止された止め具１０２ａに一体的に固定されている。
（操作装置）
【０１１７】
図３１から図３４は操作装置の換気用操作部材１１２、排煙用操作部材１１３を示す概念図である。図３２に示すように自然風力換気及び障子閉鎖を行う換気用操作部材１１２には押ボタン１１２ａが設けられ排煙用操作部材１１３には押ボタン１１３ａが設けられている。両押ボタン１１２ａ，１１３ａを連結している連動板１１４が上下動自在に設けられている。連動板１１４との上下動を案内するための案内部材は図略してある。
【０１１８】
押ボタン１１２ａ，１１３ａは換気用操作部材１１２、排煙用操作部材１１３の蓋１１２ｂ，１１３ｂに固定されたガイド１１２ｃ，１１３ｃに上下動自在に嵌合している。押ボタン１１２ａ，１１３ａは図示されないばねで上方に向って付勢されている。押ボタン１１３ａと連動板１１４は固定されている。押ボタン１１２ａは連動板１１４の穴１１４ａに上下動自在に嵌合する円筒部１１２ａ１と、円筒部１１２ａ１の下部から拡径したつば１１２ａ２を有する。押ボタン１１２ａ，１１３ａは夫々図示されない接続部材の係脱を行う。換気用操作部材１１２、排煙用操作部材１１３の巻取ドラムが手動ハンドルで駆動されるような場合接続部材はクラッチ継手である。該巻取ドラムが電動機で駆動される場合は電動機の給電回路を入切する接点又は電動機と巻取ドラム間の駆動伝達部材に備えるクラッチ継手である。
【０１１９】
図３２は押ボタン１１２ａ，１１３ａが押されていない状態である。図３２の状態で押ボタン１１２ａを押すと図３３に示すように押ボタン１１２ａはその円筒部１１２ａ１が連動板１１４の穴１１４ａを滑動して下方に移動し図示されない接続部材を接続させる。これによって、ワイヤー２４の巻取り、巻出しが可能となる。
【０１２０】
図３２の状態で押ボタン１１３ａが押されると図３４に示すように連動板１１４は下降するので連動板１１４はつば１１２ａ２を押して押ボタン１１２ａを下降させる。そこで、夫々操作部材１１２，１１３の接続部材が操作され得る。
【０１２１】
換気用操作部材１１２、排煙用操作部材１１３は同期して移動するがワイヤー２４，２５を介してたて・連動桿２２Ａはたて・連動桿２２の上下動に対しては同期するようになっている。
（作用）
【０１２２】
障子２は開いて自然風力に従って開度を変化して換気している第１の状態と、障子２が施錠可能とされている第２の状態と、障子２が排煙等するために大きく開いている第３の状態とをとる。障子２をこれらの状態とするため、たて・連動桿２２は第１、第２、第３の状態に対応して第１、第２、第３の位置をとる。これらの状態変化の作用について以下説明する。自然風力に従って開度を変化して換気している状態では風力により障子２が緩衝装置７０に作用されない自在状態と、緩衝装置７０が作用する状態と、強風により障子２が閉って仮ロック装置が動作する不完全な閉止状態とをとる。
【０１２３】
障子２が開いて自然風力で換気されている状態においては、換気用操作部材１１２から導き出され滑車装置２６に巻き掛けられて滑車２６ａから下方へ垂下しているワイヤー２４Ａは限定的に弛んでおり、たて・連動桿２２は引張コイルばね３７のばね力で上昇し、たて・連動桿２２は中間の第１の位置にある。
【０１２４】
図１０に示すようにたて・連動桿２２が中間位置にあるとき、障子２は釣合いおもり１７と釣合った状態で上框８を室内側に遠ざけ、下框１１を外部側へ向って窓面より遠ざけるように傾いている。この傾きは既にのべたように垂直方向に対して４５度程度である。このときピンローラ３ａ３はシフタ３４の上ヨーク３４ｂに接するか接近している。外部から障子２に向って風が吹くと障子２は正圧を受け軸受装置３の軸３ｂを中心にして上框８側が室外側へ、下框１１側が室内側へ向い傾く角度が小さくなる。風力の消長により障子２の開度が変化する。障子２に負圧の風圧が加わった場合は正圧の風圧の場合と逆に障子２は軸３ｂを中心にして図１０において時計回りに回転しようとする。このとき上ヨーク３４ｂとピンローラ３ａ３との間は隙間がないか小隙間であるので、障子２は時計回りに回転しない又は小回転のみ許される。
【０１２５】
上記のように自然風力換気が行われている際は、図５、図６において引張コイルばね４９のばね力で横・連動桿２７は右行端にあり、トリガー２８は平面で見て横・連動桿２７と長手方向が一致しており、トリガー２８は横・連動桿２７が左行するとストッパ４６と係合する位置にある。滑車５４は滑車５５から最大限離れている。
風力が一定以下の小さいときは障子２は緩衝装置７０の緩衝ローラ７８に当るまで閉らないで障子２は揺動する。
【０１２６】
風力が一定以上になると障子２は閉る方向の力を受けて閉ろうとする。障子２の竪框９の段部９ｂは緩衝ローラ７８に当り図２２、図２３に固設したストッパ７３ａを押圧している緩衝アーム７６はアーム取付ピン７５を中心にして、ねじりコイルばね７７のばね力に抗し内部側に向って揺動しストッパ７３ａから離れて障子２及び釣合いおもり１７の慣性による回転モーメント及び風圧に従って障子２に生ずる回転力によるエネルギーを該ばね７７が吸収して障子２の下框１１は室内側への移動を制動される。上記において障子２が閉り切らない状態では緩衝アーム７６はストッパ７３ａから離れてはいるが障子２を閉め切った直立状態に達せず尚傾いている。
【０１２７】
ここで、風力が小さくなると障子２を閉めようとする風力による軸３ｂを中心とする障子２の回転力は小さくなるので釣合おもり１７の作用が働いていると共に緩衝装置７０はねじりコイルばね７７のばね力で緩衝アーム７６をアーム取付ピン７５を中心にして外部側へ向って回動して緩衝ローラ７８は障子２の竪框９の段部９ｂを転動し乍押して移動させる。緩衝アーム７６がストッパ７３ａに当った後は、風力に打克った釣合いおもり１７による回転力によって障子２は開く。上記のように障子２が閉る際に緩衝装置７０は障子２の運動エネルギーをねじりコイルばね７７で次第に抵抗を大きくして吸収する。従って、障子２が閉るときのいわゆるパタンという音は生じない。
（強風時の作用）
【０１２８】
強風によって障子２が閉る方向に軸３ｂを中心に回転して竪框９の段部９ｂが緩衝ローラ７８を加圧すると、図２２に示すようにアーム取付ピン７５を中心にして傾動している緩衝アーム７６（点線で示す）はアーム取付ピン７５を中心にして反時計回りに回転して直立状態に近づく。緩衝アーム７６の直立位置において障子２は閉った状態となる。
【０１２９】
このような強風が吹くと、障子２は閉る際に緩衝装置７０により制動される。強風といえどもその風力には強風中消長がある。従って、緩衝装置７０によれば障子２が閉る際に減速され滑らかに動くとしてもねじりコイルばね７７に付勢されている緩衝アーム７６に設けた緩衝ローラ７８に竪框９の下部は押されて開く。一定以上強風の場合は障子２は閉めて置きたい。換気用操作部材１１２を操作することにより障子２を閉めることができる。しかし、強風を常に人が監視している訳にはいかない。
【０１３０】
そこで、障子２が第１の位置において自然風力により揺動している際、一定以上の強風により緩衝アーム７６が室内側へ回動して直立状態に近づく際には、仮ロック装置１３１が作動する。
図３５（ａ）（ｂ）（ｃ）は強風により障子２が閉る際の仮ロック装置の仮ロックが掛かる作用を示す平面図である。
【０１３１】
図３５（ａ）に示すように障子２の下框１１が閉る内部側に向って移動してくると、仮ロックピン１５５は仮ロックアーム１５３のカム部１５３ｃに当り、仮ロックアーム１５３をねじりコイルばね１５４（図３５では図略図２１参照）のばね力に抗して支持ピン１５１ｂを中心にして反時計回りに回転させる。障子２の下框１１側は内部側に移動するとき仮ロックピン１５５はカム部１５３ｃを摺動して図３５（ｂ）に示すように仮ロックアーム１５３が支持ピン１５１ｂを中心にして図３１（ａ）の状態から反時計回りに傾動するとき、仮ロック制御レバー１５８のカム面１５８ａと、仮ロックアーム１５３に固設してある仮ロック解除保持ピン１５３ｆは摺動する。このとき、仮ロック制御レバー１５８はねじりコイルばね１６１のばね力で支持ピン１５１ｃを中心にして反時計回りに回動する。即ち、図３５（ａ）において支持ピン１５１ｂと仮ロック解除保持ピン１５３ｆとカム面１５８ａとの接点Ｐ１を結ぶ直線に対してカム面１５８ａは、直交せず接点Ｐ１と支持ピン１５１ｃの中心Ｐ２を結ぶ線に対して平行ではない。接点Ｐ１を頂点としてカム面１５８ａをとおる線と接点Ｐ１と中心Ｐ２を結ぶ線がなす角は支持ピン１５１ｃ側に向って拡いている。従って、仮ロック制御レバー１５８は支持ピン１５１ｃを中心に仮ロックアーム１５３の回転を助勢して反時計回りに回動する。
【０１３２】
図３５（ｂ）に示すように仮ロックアーム１５３のカム部１５３ｃのカムトップ１５３ｃ１を仮ロックピン１５５を内部側に向って越えると、図３５（ｃ）に示すように仮ロックアーム１５３はねじりコイルばね１５４のばね力で支持ピン１５１ｂを中心にして時計回りに回動し係止面１５３ｄとカムトップ１５３ｃ１の角が仮ロックピン１５５を回り込み、右方へ移動する係止面１５３ｄが仮ロックピン１５５と摺動し、仮ロックアーム１５３はストッパ１５１ｈに当り回動を止められる。この状態では障子２は仮ロック装置１３１によって開く方向への作動は制止されている。上記で、仮ロックアーム１５３が回動するとき仮ロック解除保持ピン１５３ｆとカム面１５８ａは摺動して仮ロックアーム１５３を制動し、仮ロックアーム１５３がストッパ１５１ｈに当る際の衝撃、騒音は低減される。
【０１３３】
なお、図３５（ｃ）の状態においては、障子２の下框１１は開口枠１の下枠７とは間をおいて締め切っていない。このときロックピン部２９のカム部２９ｓはトリガー２８のカム作動子２８−２に接している。
【０１３４】
上記のように仮ロック装置１３１が作動して障子２が強風の風力の消長によりあおられて開く方向の力が生じても、仮ロックアーム１５３は仮ロックピン１５５の外方への移動を許さない。従って、障子２が開と閉間の揺動の繰り返しの際の閉時の騒音は生じることがない。障子２の仮ロックに際しては、緩衝ローラ７８が竪框９の下端近くを外方に向って加圧している。従って仮ロックされた状態においても、緩衝ローラ７８は竪框９の下部を外方に押圧したままであるので仮ロック状態における障子２はがたつくことなく静止している。
（仮ロックの解除）
強風で障子２が閉鎖して仮ロックが作用した後でその仮ロックを解除する方法について図３６（ｄ）（ｅ）（ｆ）を用いてのべる。
【０１３５】
換気用操作部材１１２によりワイヤー２４を巻き取ると滑車装置２６を介してたて・連動桿２２は降下する。図２２に示すようにたて・連動桿２２の降下により共に降下する直動カム８１は緩衝解除ローラ７９を内部側に向って押し、緩衝アーム７６は直立状態となる方向にアーム取付ピン７５を中心にして回動する。これによって、緩衝ローラ７８により外部側へ向って押えられていた障子２の竪框９の下部は内部側に向って移動を許されるようになる。ワイヤー２４にはたて・連動桿２２を上方に向って付勢している引張コイルばね３７、横・連動桿２７を右方に向って付勢している引張コイルばね４９のばね力で弛みなく張力が与えられているのでたて・連動桿２２が下降して障子２を室内側に引き寄せ、トリガー２８とストッパ４６の係合を解除するので横・連動桿２７は左行する。
【０１３６】
横・連動桿２７と共に左行した仮ロック解除ピン１５０が仮ロックアーム１５３に当ると、ねじりコイルばね１５４で支持ピン１５１ｂを中心にして時計回りに付勢されている仮ロックアーム１５３は支持ピン１５１ｂを中心にして反時計回りに傾動しストッパ１５１ｈから離れて図３６（ｄ）から（ｅ）に示すようになる。この際仮ロック解除保持ピン１５３ｆは支持ピン１５１ｂを中心にして反時計回りに移動する。ねじりコイルばね１６１（図２１参照）により反時計回りに付勢されている仮ロック制御レバー１５８のカム面１５８ａに対して仮ロック解除保持ピン１５３ｆは摺動する。
【０１３７】
図３６（ｅ）の状態から横・連動桿２７が更に左行すると仮ロックアーム１５３は更に回動し、図３６（ｆ）に示す位置となる途中で仮ロックアーム１５３のカムトップ１５３ｃ１を見込方向とをとおる線（図示しない）よりも仮ロックピン１５５は右方に離れた位置にある。この状態では障子２の下框１１は外部側に対して移動自在となる。操作用換気部材１１２によりワイヤー２４を弛めて横・連動桿２７を右行させると仮ロック装置は図３６（ａ）の状態に復元する。図３６（ｆ）の状態となる施錠位置においては仮ロック制御レバー１５８はねじりコイルばね１６１（図２１参照）のばね力で支持ピン１５１ｃを中心にして反時計回り付勢されて回動し保持部１５８ｂは仮ロック解除保持ピン１５３ｆに係合する。そして、換気用操作部材１１２によりワイヤー２４が弛められて引張コイルばね４９のばね力で横・連動桿２７は右行しても、図３７（ｇ）に示すように仮ロックアーム１５３は仮ロック制御レバー１５８により拘束されている。ただし、細線で図示した仮ロック解除ピン１５０は仮ロックアーム１５３に接している。
【０１３８】
障子２が障子側のピン部２９ｂが枠側のフック６９により拘束され障子２が閉鎖された状態（本ロックという。作用については後述する）から換気用操作装置１１２により障子２を開く際に本ロックが解除された後障子２を開く際に非作動状態とされた仮ロックを復元する作用を説明する。
【０１３９】
図３７（ｇ）において、障子２が開く際は図５、図１８おいて、換気用操作部材１１２によりワイヤー２４Ｂは弛められるので横・連動桿２７は伸長している引張コイルばね４９のばね力で右行すると同時にロックピン４５ｃは右行して、フック６９を軸受４５ｅを中心に回転して引掛け部６９ｂは障子２の下框１１に固定してあるピン部２９ｂを解放する。障子２は釣合おもり１７により軸受装置３の軸３ｂを中心にして下框１１側が外部側に向って開く。
【０１４０】
障子２の開き始めに障子２の下框１１に設けたロック解除板ばね１５７は内部側から外部側へ向う。図３７（ｈ）に示すように障子２の下框１１の移動方向に対して斜設したロック解除板ばね１５７が仮ロック復帰ピン１５８ｃに当り、仮ロック復帰ピン１５８ｃは固定されている仮ロック制御レバー１５８と共に支持ピン１５１ｃを中心にして時計回りに回動する。これによって該レバー１５８の保持部１５８ｂに拘束されている仮ロック解除保持ピン１５３ｆは保持部１５８ｂからカム面１５８ａに接触位置を変える。図３７（ｉ）に示すようにほぼ平面のカム面１５８ａと円筒形の仮ロック解除保持ピン１５３ｆとの接触点Ｐ１と支持ピン１５１ｃの中心Ｐ２を結ぶ直線に対して平面のカム面１５８ａは仮ロック解除保持ピン１５３ｆの移動方向に対して迎角となるように斜めになっている。支持ピン１５１ｂを中心にして仮ロックアーム１５３が時計回りに回転するとき仮ロック解除保持ピン１５３ｆとカム面１５８ａは摺動して仮ロックアーム１５３の回転を制動する。そこで、ねじりコイルばね１５４に付勢されている仮ロックアーム１５３がストッパ１５１ｈに当る（図３６（ｄ）参照）際の衝撃は緩和される。
（障子の閉鎖）
【０１４１】
障子２を閉めるとき例えば強風時には、操作部材１１２を操作するとワイヤー２４は引かれ、図７においてワイヤー２４Ａは引張コイルばね３７のばね力に抗して下方に移動する。これによって第３滑車２６ｃは下方へ移動し、該滑車２６ｃと共にたて・連動桿２２は移動する。このときワイヤー２４Ａの変位に対して滑車２６の変位は半分であるから、滑車２６に加わる引張コイルばね３７のばね力及びたて・連動桿２２とガイドレール２１間の摺動抵抗、障子２を支持する軸３ｂと軸受３ａ間の軸受摩擦、障子２の慣性抵抗等の合計した力に対して軽い力で操作部材１１２で操作可能である。
【０１４２】
たて・連動桿２２が下降すると上ヨーク３４ｂはピンローラ３ａ３を押し下げアーム３ａ１及び障子２は軸３ｂを中心にして回転し、障子２の下框１１は外部側から室内側へ向って揺動し上框８は室内側から外部側へ向って揺動し、障子２の下框１１と下枠７間は見込方向で近づく。下框１１と下枠７間がわずかな隙間となり障子２が閉じた第２の位置となる。これに伴って障子２の下框１１に固定してあるロックピン部２９のカム部２９ｓがトリガー２８のカム作動子２８−２に作用して図１４から図１５に示すようにトリガー２８をねじりコイルばね２８ｄのばね力に抗してピン２８ｂを中心にし時計回りに回転する。横・連動桿２７に固定されたストッパ４６に係合しているストッパ止め２８−１がストッパ４６から外れる。たて・連動桿２２は下降限でストッパ２１ｂに当り止る。このとき、ピン２８ｂからストッパ止め２８−１までの長さＬ１とピン２８ｂからカム作動子２８−２までの長さＬ２の比は例えばＬ１／Ｌ２＝２.３のようにしてある。従って、障子２の下框１１側の小さな変位でストッパ止め２８−１はストッパ４６から解放される。
【０１４３】
たて・連動桿２２に取り付けた第３滑車２６ｃを介して引張コイルばね３７を引くワイヤー２４の張力は引張コイルばね４９がワイヤー２４Ｂに生じさせる張力よりも小さいので操作部材１１２のワイヤー２４Ａの巻取り後にワイヤー２４Ｂは引張られる。リターン滑車１０５,１０６によって引く方向が反対方向となったワイヤー２４Ｂによって滑車５４は図５、図６において左行し、横・連動桿２７が引張コイルばね４９のばね力に抗して左行する。これに伴ってロックピン４５ｃが左行しフック６９をピン６９ｄを中心にして反時計回りに回転する。フック６９はピン部２９ｂに係合する。このとき障子２は閉った状態であり施錠される（図１８参照）。
施錠の際、シフタ３４の上ヨーク３４ｂから軸受装置３のピンローラ３ａ３は下方に離れる。
【０１４４】
かかる障子２が第１の位置から第２の位置に移動する際に、たて・連動桿２２と共に下降する直動カム８１は緩衝解除ローラ７８を押圧して緩衝アーム７６をねじりコイルばね７７のばね力に抗してアーム取付ピン７５を中心にして内部側へ回転させ直立させる。これによって緩衝装置７０は障子２が引寄せられる前に作動を止められる。そこで、障子２が閉じる際に操作が重くなるのが防止される。
【０１４５】
操作部材１１２に巻き取られたワイヤー２４Ａ，２４Ｂを自由にすると施錠するときと逆にワイヤー２４Ａ，２４Ｂは弛むので、引張コイルばね３７のばね力でたて・連動桿２２は上昇する。引張コイルばね４９のばね力で横・連動桿２７は図５、図６、図１８において右行する。
【０１４６】
たて・連動桿２２と共に直動カム８は上昇する。緩衝装置７０は緩衝アーム７６がねじりコイルばね７７のばね力で外部側へ向って揺動する。緩衝ローラ７８は障子の竪框９の段部９ｂを押して障子２の開き始めに開くのを助勢する。
【０１４７】
横・連動桿２７の右行と共に滑車５４、ストッパ４６、ロックピン４５ｃ、仮ロック解除ピン１５０は右行する。ロックピン４５ｃの右行によって、フック６９は支持ピン６９ｄを中心にして時計回りに回動して障子２は開錠される。たて・連動桿２２は引張コイルばね３７の力で障子２は開き受金のピン部２９ｂは外部側へ釣合おもり１７と障子２の釣合う位置に向って移動する。これによって障子２は解錠される。既にのべたように解錠に際して、仮ロックは復元される。
【０１４８】
一方、横方向のワイヤー２４Ｂ、たて方向のワイヤー２４Ａも操作部材１１２の作用で弛められるので、たて・連動桿２２は引張コイルばね３７のばね力で上方に付勢移動される。換気用操作部材１１２がワイヤー２４Ａの巻き出しを停止し、たて・連動桿２２は中間位置で停止する。これによってたて・連動桿２２と共に上昇したシフタ３４は軸受装置３との関係位置が自然風力換気窓となる中間位置（図１０に示す位置）となり、障子２は自然風力の消長に応じて開度を変える。
【０１４９】
かかる、たて・連動桿２２の上昇と横・連動桿２７の右行は連動して行われ、図１５において実線位置にあるトリガー２８はロックピン部２９が外部側へ移動するにつれ、ねじりコイルばね２８ｄのばね力でピン２８ｂを中心にして反時計回りに回動し、図１４に示すように横・連動桿２７と共に移動して来たストッパ４６の外側（図１４で左側）に一定の間隔を設けてストッパ止め２８‐１が納まる。トリガー２８がストップピン２８ｅに当ることによりトリガー２８は、横・連動桿２７と長手方向を一致させて重なる。この状態で横・連動桿２７が左行するとストッパ４６とストッパ止め２８‐１が係合するので、トリガー２８とストッパ４６の係合が解除されないと横・連動桿２７は左行できない。
（障子閉鎖、又は自然換気状態からの強制開放）
【０１５０】
窓からの排煙をするときは、排煙用の操作部材１１３を解除操作するとワイヤー２４，２５は換気用操作部材１１２と排煙用操作部材１１３からそれぞれ引出され自由とされる。ワイヤー２４Ｂが緩むと既に述べたように障子２は解錠される。
【０１５１】
方立６Ａ側のたて・連動桿２２Ａはたて・連動桿２２Ａを上方に付勢しているダンパ９４の推力で上昇方向（図８に示す矢印イと反対方向）に移動する。これによってシフタ３４の下ヨーク３４ｃはピンローラ３ａ３、軸受装置３のアーム３ａ１の先端を上昇させてアーム３ａ１は軸３ｂを中心にして上昇方向に回転する。これによって障子２は下框１１が外部側へ向って移動し、上框８が室内側に向って移動し、障子２は開く、たてガイドレール２１に固定された図１３に示したストッパ２１ｂにたて・連動桿２２，２２Ａの上端が当接して障子２は大きく開いた状態となる。このとき障子２は壁面に対して例えば４５度傾いていて仕様上全開となる。障子２の全開時、障子２を閉める方向に強風が吹いたとしてもダンパ９４の推力の低下は小さいので障子２は全開の開放状態が維持される。即ち、ダンパ９４、方立側滑車、ワイヤー、排煙用操作部材１１３によって障子の開放維持装置が構成されている。
【０１５２】
全開状態の障子２は排煙用操作部材１１３を操作すると自然風力状態における換気が行われる位置に戻る。以下、説明する。該操作部材１１３を操作してワイヤー２５を引くと、これによって、たて・連動桿２２Ａは下降し、軸受装置３を介して障子２を全開から自然風力換気状態の開度とする。係る、障子２の全開から自然風力換気状態の開度とする動作は方立６Ａでない側の竪枠６の側のたて・連動桿２２でも同期して行われる。この同期作用は操作部材１１３が操作部材１１２と連動して行われる。
【０１５３】
たて・連動桿２２Ａの停止した状態においては、たて・連動桿２２Ａに固定したシフタ３４の上ヨーク３４ｂ、下ヨーク３４ｃは軸受装置３のアーム３ａ１の先端のピンローラ３ａ３とは障子２が無風状態で釣合いおもり１７と釣り合って外部側から障子２に吹き付ける自然風力によって揺動可能なように間があいている。たて・連動桿２２側も同様である。
【０１５４】
かかる排煙のための障子２の全開が排煙用操作部材１１３で行われる際に、排煙用操作部材１１３に連動した換気用操作部材１１２により障子２の解錠が行われる。  
【符号の説明】
【０１５５】
ＣＬ…中心線  
Ｐ１…接点  Ｐ２…中心  
Ｔ１，Ｔ２…張力    
１…開口枠
２…障子  
３…軸受装置  ３ａ…軸受  ３ａ１…アーム  ３ａ２…ピン軸  ３ａ３…ピンローラ  ３ｂ…軸  ３ｃ…小ねじ  ３ｄ…スタンド
５…上枠  
【０１５６】
６…竪枠  ６Ａ…方立  ６Ａ１…結合部材  ６Ａ２…結合部材  ６Ａ２１…小ねじ  ６ａ…条溝  ６ｂ…突条  ６ｃ…内側材  ６ｃ１…スリット  ６ｃ２…スリット  ６ｄ…周材  ６ｅ…ブラケット  ６ｅ１…固定軸    ６ｇ…ブラケット  ６ｇ１…固定軸  
【０１５７】
７…下枠  ７ａ…条溝  ７ｂ…内側材  ７ｃ…周材  ７ｃ１，７ｃ２…固定軸  ７ｄ…ブラケット  ７ｄ１，７ｄ２…固定軸  ７ｄ３…スタンド  ７ｄ４…固定軸  ７ｅ…支持板  ７ｅ１，７ｅ２…固定軸  ７ｇ…ブラケット
８…上框  ８ａ…内側材  ８ｂ…内周材  
９…竪框  ９ａ…内側材  ９ｂ…段部
１１…下框  １１ａ…内側材  １１ｂ…内周材  １１ｃ…中空部  １１ｄ…外周材  １１ｅ…小ねじ  １１ｆ…下板  
１２…シール材  
１３…ガラス
１５…気密パッキン  
１６…気密パッキン
１７…釣合おもり  １７ａ…ブラケット  １７ｂ，１７ｃ…小ねじ  １７ｄ…裏板  １７ｅ…横架材
１８ａ…締結部材  １８ｂ…締結部材  
１９…調節用おもり
２１…ガイドレール  ２１ａ…小ねじ  ２１ｂ…ストッパ  ２１ｃ…小ねじ
２２，２２Ａ…たて・連動桿  ２２ａ…裏板  ２２Ａａ…裏板  ２２Ａｂ，２２Ａｃ…裏板  ２２ｂ…固定軸  
２４，２４Ａ，２４Ｂ…ワイヤー（換気操作用）  ２４ａ…他方端側  
２４Ｂｅ…ワイヤーエンド  
２５，２５ａ，２５ｂ，２５Ｂｓ…ワイヤー（排煙操作用）  ２５ｃ…端末
２６…滑車装置  ２６ａ〜２６ｆ…滑車（たて横方向切換用）
２７…横・連動桿  ２７ｂ…裏板  ２７ｄ…取付板部  ２７ｅ…小ねじ  ２７ｆ…裏板  ２７ｇ…小ねじ  
【０１５８】
２８…トリガー    ２８Ａ…トリガーアセンブリ  ２８ａ…ブラケット    ２８ａ１…穴  ２８ｂ…ピン  ２８ｃ…ボス  ２８ｄ…ねじりコイルばね  ２８ｄ１…一端  ２８ｄ２…他端  ２８ｅ…ストップピン  ２８ｆ…裏板  ２８ｇ…小ねじ  ２８−１…ストッパ止め  ２８−２…カム作動子  
【０１５９】
２９…ロックピン部  ２９ａ…ブラッケット  ２９ａ１…たて材  ２９ａ２…横材  ２９ａ３…取付部    ２９ｂ…ピン部  ２９ｃ…ピン軸  ２９ｃ１…固定部  ２９ｃ２…軸受部  ２９ｃ３…つば  ２９ｄ…ローラ  ２９ｅ…小ねじ  ２９ｓ…カム部  
【０１６０】
３１…コーナーガイド  ３１ａ…コーナーガイド本体  ３１ａ１…ガイド穴  ３１ａ２…ガイド穴  ３１ａ３…ガイド穴  ３１ｂ…横滑動片  ３１ｂ１…スライド部  ３１ｃ…たて滑動片  ３１ｃ１…スライド部  ３１ｄ…可撓性部材  ３１ｅ…小ねじ  ３１ｆ…小ねじ  ３１ｇ…取付部  ３１ｈ…取付部  ３１ｉ…小ねじ
３２…ガスダンパ
３３…滑車装置（方立側）
３４…シフタ  ３４ａ…ベース  ３４ｂ…上ヨーク  ３４ｃ…下ヨーク  ３４ｄ…小ねじ  
３５…支板  ３５ａ…小ねじ  
３６…ばね掛け
３７…引張コイルばね（たて）
３８…ばね掛け  ３８ａ…ベース
３９…小ねじ
４１…裏板
４２…ストッパ
４４…ガイドレール  ４４ａ…小ねじ  ４４ｂ…支持部材  
４５…ブラケット  ４５ａ…小ねじ  ４５ｂ…ベース  ４５ｃ…ロックピン  ４５ｄ…フランジ  ４５ｅ…軸受  ４５ｆ…ピン  
４６…ストッパ  ４６ｂ…小ねじ  ４６ｃ…一端  
４７…ばね掛け  ４７ａ…ベース  ４７ｂ…ばね掛けピン  
４８…小ねじ
４９…引張コイルばね（横）
５０…ばね掛け  ５０ａ…ばね掛けピン  ５０ｂ…ベース    
５４…滑車
５５…滑車
５６…支持台  ５６ａ…フランジ
５７…ピン
５８…支持台  ５８ａ…フランジ
５９…ピン
６３…台
６４…小ねじ
６５…ブラケット
６６…小ねじ
６７…ブラケット
６８…取付面
６９…フック  ６９ａ…カム穴  ６９ａ１，６９ａ２，６９ａ３，６９ａ４…縁  ６９ｂ…引掛け部  ６９ｄ…ピン
７０…緩衝装置  ７０Ａ…緩衝アーム組物  
７１…取付ベース  ７１ａ…横フランジ  ７１ｂ…たてフランジ  
７３…取付ブラケット  ７３ａ…ストッパ  
７４…小ねじ
７５…アーム取付ピン  
７６…緩衝アーム  ７６ａ…ボス  ７６ｂ…先端ピン軸  ７６ｃ…中間ピン軸  
７７…ねじりコイルばね
７８…緩衝ローラ
７９…緩衝解除ローラ
８１…直動カム  ８１ａ…カム作用面  ８１ｂ…カムトップ  ８１ｃ…小ねじ
８７…ブラケット  ８７ａ…小ねじ  ８７ｂ…くら  ８７ｃ…固定軸  
８８ａ…小ねじ  ８８ｂ…小ねじ
８９…躯体側部材
９２…ブラケット  ９２ａ…小ねじ  
９３…くら  ９３ａ…円筒部  ９３ｂ…おねじ  ９３ｃ…ナット  ９３ｄ…小ねじ  
９４…ガスダンパ  ９４ａ…シリンダ  ９４ｂ…取付部  ９４ｃ…ピストンロッド  ９４ｄ…接手部  
９５…べース  ９５ａ…円筒部  ９５ｂ…おねじ  ９５ｃ…ナット  ９５ｄ…ロット結合部材  
９６…ブラケット  ９６ａ，９６ｂ，９６ｃ，９６ｄ，９６ｅ，９６ｆ，９６ｇ，９６ｈ，９６ｆ１，９６ｇ１，９６ｈ１，…滑車  
９７…サドル  ９７ａ…固定軸  ９７ｂ…小ねじ
９８…ブラケット  ９８ａ…固定軸  ９８ｂ…小ねじ
９９…サドル  ９９ａ…固定軸  ９９ｂ…小ねじ
１００…換気用ユニット
１０１…ブラケット  １０１ａ…固定軸
１０２…ブラケット  １０２ａ…止め具
１０３…軸受装置  １０３ａ…軸受  １０３ａ１…上ヨーク  １０３ａ２…下ヨーク  
１０５…リターン滑車
１０６…リターン滑車
１１２…換気用操作部材  １１２ａ…押ボタン  １１２ａ１…円筒部  １１２ｂ…蓋  １１２ａ２…つば
１１３…排煙用操作部材  １１３ａ…押ボタン  １１３ｂ…蓋  
１１４…連動板  １１４ａ…穴  
１３１…仮ロック装置  
１５０…仮ロック解除ピン  
１５１…ブラケット  １５１ａ…小ねじ  １５１ｂ…支持ピン  １５１ｃ…支持ピン  １５１ｄ…切欠き  １５１ｈ…ストッパ  
１５２…裏板  １５２ａ…小ねじ  
【０１６１】
１５３…仮ロックアーム  １５３ａ…ボス  １５３ｂ…フック部  １５３ｃ…カム部  １５３ｃ１…カムトップ  １５３ｄ…係止面  １５３ｅ…逃げ面  １５３ｆ…仮ロック解除保持ピン  
１５４…ねじりコイルばね  
１５５…仮ロックピン
１５６…ブラケット  １５６ａ…小ねじ  １５６ｂ…フランジ  １５６ｃ…フランジ  
１５７…仮ロック解除板ばね
１５８…仮ロック制御レバー  １５８ａ…カム面  １５８ｂ…保持部  １５８ｃ…仮ロック復帰ピン  １５８ｄ…ボス
１６１…ねじりコイルばね
２００…排気用ユニット
【図１】
0005985237.tif 000002
【図２】
0005985237.tif 000003
【図３】
0005985237.tif 000004
【図４】
0005985237.tif 000005
【図５】
0005985237.tif 000006
【図６】
0005985237.tif 000007
【図７】
0005985237.tif 000008
【図８】
0005985237.tif 000009
【図９】
0005985237.tif 000010
【図１０】
0005985237.tif 000011
【図１１】
0005985237.tif 000012
【図１２】
0005985237.tif 000013
【図１３】
0005985237.tif 000014
【図１４】
0005985237.tif 000015
【図１５】
0005985237.tif 000016
【図１６】
0005985237.tif 000017
【図１７】
0005985237.tif 000018
【図１８】
0005985237.tif 000019
【図１９】
0005985237.tif 000020
【図２０】
0005985237.tif 000021
【図２１】
0005985237.tif 000022
【図２２】
0005985237.tif 000023
【図２３】
0005985237.tif 000024
【図２４】
0005985237.tif 000025
【図２５】
0005985237.tif 000026
【図２６】
0005985237.tif 000027
【図２７】
0005985237.tif 000028
【図２８】
0005985237.tif 000029
【図２９】
0005985237.tif 000030
【図３０】
0005985237.tif 000031
【図３１】
0005985237.tif 000032
【図３２】
0005985237.tif 000033
【図３３】
0005985237.tif 000034
【図３４】
0005985237.tif 000035
【図３５】
0005985237.tif 000036
【図３６】
0005985237.tif 000037
【図３７】
0005985237.tif 000038
【図３８】
0005985237.tif 000039
【図３９】
0005985237.tif 000040